(57)【要約】  本発明は、基地局側とユーザー機器側との無線通信のための装置、方法を提供し、基地局側の無線通信のための装置は、基地局のアンテナ配置に基づいて基地局の下りリンク参照信号を複数の空間次元上でそれぞれ配置し、及び基地局が前記複数の空間次元上で下りリンク参照信号をそれぞれ送信する指示を含む制御メッセージを生成し、基地局がサービスするユーザーに用いられるように配置されている一つ又は複数のプロセッサを含む。【選択図】図１
2018514965.tif 000002
【特許請求の範囲】
【請求項１】
無線通信のための装置であって、
基地局のアンテナ配置に基づいて、前記基地局の下りリンク参照信号を複数の空間次元上でそれぞれ配置し、
前記基地局が複数の空間次元上で前記下りリンク参照信号をそれぞれ送信する指示を含む制御メッセージを生成して、前記基地局がサービスする通信デバイスに用いられるように配置されている一つ又は複数のプロセッサを含む装置。
【請求項２】
前記一つ又は複数のプロセッサは、異なる空間次元の下りリンク参照信号を、異なるアンテナポートにより送信するように配置するように配置されている請求項１に記載の装置。
【請求項３】
前記一つ又は複数のプロセッサは、さらに、前記通信デバイスが相応する空間次元の下りリンク参照信号を区分するように異なる空間次元の下りリンク参照信号を同じ仕様で異なる伝送リソースにマッピングするように配置され、前記伝送リソースはサブフレーム又は時間スロットの少なくとも一つに対応する請求項２に記載の装置。
【請求項４】
前記一つ又は複数のプロセッサは、さらに、前記基地局の特定の空間次元上の前記下りリンク参照信号に対する送信パラメーター及び／又は通信デバイスの特定の空間次元上の前記下りリンク参照信号に対する測定フィードバックパラメーターを、前記制御メッセージに含ませるように配置されている請求項１に記載の装置。
【請求項５】
前記送信パラメーターは、特定の空間次元に対応する参照信号ポート配置パラメーターと、周期配置パラメーターと、サブフレームオフセット情報との少なくとも一つを含み、前記フィードバックパラメーターは、通信デバイスに配置された特定の空間次元に相応する参照信号の測定を行うフィードバック周期配置パラメーター、及びサブフレームオフセット情報の少なくとも一つを含む請求項４に記載の装置
【請求項６】
それぞれの空間次元に対応する参照信号の送信周期は、異なるように設定されている請求項５に記載の装置。
【請求項７】
それぞれの空間次元に対応する参照信号の測定フィードバック周期は、異なるように設定されている請求項５に記載の装置。
【請求項８】
前記装置は前記基地局であり、
前記複数の空間次元のそれぞれに対して前記通信デバイスへ当該空間次元上の下りリンク参照信号をそれぞれ送信し、前記通信デバイスからそれぞれの空間次元に対する参照信号測定フィードバックを受信するように配置されている送受信ユニットをさらに含む請求項１〜７のいずれか一項に記載の装置。
【請求項９】
前記送受信ユニットは、異なるサブフレーム上でそれぞれの空間次元に対応する参照信号を送信し、異なるサブフレーム上でそれぞれの空間次元に対応する測定フィードバックを受信するように配置されている請求項８に記載の装置。
【請求項１０】
前記送受信ユニットは、物理上りリンクデータチャネルのみで前記複数の空間次元のうちの一部の空間次元に対応する参照信号の測定フィードバックを受信する請求項８に記載の装置。
【請求項１１】
前記一つ又は複数のプロセッサは、さらに、特定の空間次元に対応する参照信号に対する非周期フィードバックリクエストを、下りリンク制御情報又はランダムアクセス応答に含ませて前記通信デバイスに用いるように配置されている請求項１０に記載の装置。
【請求項１２】
前記送受信ユニットは、第一の空間次元に対応する参照信号測定フィードバックの上りリンクサブフレームの後の一番目の利用可能な上りリンクサブフレーム上で第二の空間次元に対応する参照信号測定フィードバックを受信するように配置されている請求項１１に記載の装置。
【請求項１３】
前記下りリンク参照信号はチャネル状態情報参照信号であり、前記制御メッセージは無線リソース制御シグナリングである請求項１〜７のいずれか一項に記載の装置。
【請求項１４】
前記複数の空間次元は水平方向と垂直方向とを含む請求項１３に記載の装置。
【請求項１５】
前記一つ又は複数のプロセッサは、水平チャネル状態情報参照信号に第一のアンテナポートグループを配置し、垂直チャネル状態情報参照信号に第二のアンテナポートグループを配置するように配置され、第一、第二のアンテナポートグループのそれぞれは八個の異なるアンテナポートを含む請求項１４に記載の装置。
【請求項１６】
前記一つ又は複数のプロセッサは、前記基地局が水平と垂直空間次元上で前記チャネル状態情報参照信号を送信する指示を、伝送モード情報ユニットの形で前記無線リソース制御シグナリングに含ませる請求項１４に記載の装置。
【請求項１７】
前記一つ又は複数のプロセッサは、前記無線リソース制御シグナリングのｃｑｉ−ｐｍｉ−ＣｏｎｆｉｇＩｎｄｅｘパラメーターを利用して、通信デバイスに水平と垂直空間次元のチャネル状態情報フィードバックに対する配置を指示し、垂直空間次元のチャネル状態情報フィードバックの配置に対応するｃｑｉ−ｐｍｉ−ＣｏｎｆｉｇＩｎｄｅｘパラメーターの値は水平空間次元と異なる請求項１４に記載の装置。
【請求項１８】
前記一つ又は複数のプロセッサは、前記無線リソース制御シグナリングのＣＳＩ−ＲＳ−ＣｏｎｆｉｇにおけるＳｕｂｆｒａｍｅＣｏｎｆｉｇパラメーターを利用して、異なる次元の参照信号送信時間に対して配置を行うことを指示し、異なる次元の参照信号のＳｕｂｆｒａｍｅＣｏｎｆｉｇパラメーターの値の範囲が異なる請求項１３に記載の装置。
【請求項１９】
無線通信のための装置であって、
基地局からの制御メッセージに基づいて、前記基地局が複数の空間次元上で下りリンク参照信号をそれぞれ送信することを確定し、
前記基地局の測定指示に応答し、相応する空間次元上の下りリンク参照信号を測定し相応する空間次元上の測定フィードバック情報を生成するように配置されている一つ又は複数のプロセッサを含む装置。
【請求項２０】
前記制御メッセージは、前記基地局の特定の空間次元上の下りリンク参照信号に対する送信パラメーター及び／又は前記装置の特定の空間次元上の前記下りリンク参照信号に対する測定フィードバックパラメーターを含む請求項１９に記載の装置。
【請求項２１】
前記送信パラメーターは、特定の空間次元に対応する参照信号ポート配置パラメーターと、周期配置パラメーターと、サブフレームオフセット情報との少なくとも一つを含み、前記フィードバックパラメーターは、前記装置に配置されて特定の空間次元に相応する参照信号の測定を行うフィードバック周期配置パラメーター、及びサブフレームオフセット情報の少なくとも一つを含む請求項２０に記載の装置。
【請求項２２】
それぞれの空間次元に対応する参照信号の送信周期は、異なるように設定されている請求項２１に記載の装置。
【請求項２３】
それぞれの空間次元に対応する参照信号の測定フィードバック周期は、異なるように設定されている請求項２１に記載の装置。
【請求項２４】
前記一つ又は複数のプロセッサは、さらに、同じ仕様を有する下りリンク参照信号を担持する伝送リソースの違いに応じて下りリンク参照信号に対応する空間次元を確定するように配置され、前記伝送リソースはサブフレーム又は時間スロットの少なくとも一つに対応する請求項１９に記載の装置。
【請求項２５】
前記一つ又は複数のプロセッサは、下りリンク参照信号を担持するサブフレームの位置に応じて下りリンク参照信号に対応する空間次元を確定するように配置されている請求項２４に記載の装置。
【請求項２６】
前記装置はユーザー機器であり、前記複数の空間次元のそれぞれに対して、前記基地局から当該空間次元上の下りリンク参照信号をそれぞれ受信し、前記基地局へそれぞれの空間次元に対する参照信号測定フィードバックを送信するように配置されている送受信ユニットをさらに含む請求項１９〜２５のいずれか一項に記載の装置。
【請求項２７】
前記送受信ユニットは、異なるサブフレーム上でそれぞれの空間次元に対応する参照信号を受信し、異なるサブフレーム上でそれぞれの空間次元に対応する測定フィードバックを送信するように配置されている請求項２６に記載の装置。
【請求項２８】
前記送受信ユニットは、物理上りリンクデータチャネルのみで前記複数の空間次元のうちの一部の空間次元に対応する参照信号の測定フィードバックを送信する請求項２６に記載の装置。
【請求項２９】
前記送受信ユニットは、さらに、特定の空間次元に対応する参照信号に対する非周期的フィードバックリクエストを含む下りリンク制御情報又はランダムアクセス応答を受信するように配置されている請求項２８に記載の装置。
【請求項３０】
前記送受信ユニットは、第一の空間次元に対応する参照信号測定フィードバックの上りリンクサブフレームの後の一番目の利用可能な上りリンクサブフレーム上で第二の空間次元に対応する参照信号測定フィードバックを送信するように配置されている請求項２９に記載の装置。
【請求項３１】
前記下りリンク参照信号はチャネル状態情報参照信号であり、前記制御メッセージは無線リソース制御シグナリングである請求項１９〜２５のいずれか一項に記載の装置。
【請求項３２】
前記複数の空間次元は水平方向と垂直方向とを含む請求項３１に記載の装置。
【請求項３３】
前記無線リソース制御シグナリングには、伝送モード情報ユニット形を有する前記基地局が水平と垂直空間次元上で前記チャネル状態情報参照信号を送信する指示を含む請求項３２に記載の装置。
【請求項３４】
前記無線リソース制御シグナリングにおけるｃｑｉ−ｐｍｉ−ＣｏｎｆｉｇＩｎｄｅｘパラメーターは、前記装置に、水平と垂直空間次元のチャネル状態情報フィードバックに対する配置を指示し、垂直空間次元のチャネル状態情報フィードバックの配置に対応するｃｑｉ−ｐｍｉ−ＣｏｎｆｉｇＩｎｄｅｘパラメーターの値範囲は水平空間次元と異なる請求項３２に記載の装置。
【請求項３５】
前記無線リソース制御シグナリングのＣＳＩ−ＲＳ−ＣｏｎｆｉｇにおけるＳｕｂｆｒａｍｅＣｏｎｆｉｇパラメーターは、異なる次元の参照信号送信時間に対する配置を指示し、異なる次元の参照信号のＳｕｂｆｒａｍｅＣｏｎｆｉｇパラメーターの値範囲が異なる請求項３１に記載の装置。
【請求項３６】
無線通信のための方法であって、
基地局のアンテナ配置に基づいて、前記基地局の下りリンク参照信号を複数の空間次元上でそれぞれ配置し、
前記基地局が複数の空間次元上で前記下りリンク参照信号をそれぞれ送信する指示を含む制御メッセージを生成して、前記基地局がサービスする通信デバイスに用いられることを含む方法。
【請求項３７】
無線通信のための方法であって、
基地局からの制御メッセージに基づいて、前記基地局が複数の空間次元上で下りリンク参照信号をそれぞれ送信することを確定し、
前記基地局の測定指示に応答して、相応する空間次元上の下りリンク参照信号を測定し相応する空間次元上の測定フィードバック情報を生成することを含む方法。
【発明の詳細な説明】
【技術分野】
【０００１】
本発明の実施例は、全体として、無線通信分野に関し、具体的に、基地局側とユーザー機器側との無線通信のための装置、方法に関し、より具体的に、本発明の実施例は、大規模マルチ入力・マルチ出力（ＭＩＭＯ）通信システムにおけるアンテナ技術に関する。
【背景技術】
【０００２】
現在、２次元のアクティブアンテナアレイを使用することで通信システムの潜在的な性能の向上をもたらす可能性があることが注目されている。例えば、垂直ビームフォーミング／フル次元ＭＩＭＯの研究を開示した。ＭＩＭＯシステムにおいて、２次元のアクティブアンテナアレイの導入によって機会と挑戦をもたらすようになっている。一方、それは、ＭＩＭＯシステムが垂直次元の利用を可能にし、他方、垂直次元の導入につれて、より多いアンテナポートの定義が必要である可能性があり、また相関シグナリングや、例えばチャネル状態情報参照信号などの信号を新たに設計して新しく導入された垂直次元によるオーバーヘッド問題を解決する可能性がある。
【０００３】
以下では、本発明に関する簡単な概説を説明して、本発明のある局面に関する基本的理解を提供する。この概説が本開示に関する取り尽くし的概説ではないと理解すべきである。それは、本開示の肝心又は重要部分を意図的特定することではなく、本開示の範囲を意図的に限定することでもない。その目的は、簡素化の形式で、ある概念を提供して、後論述するより詳しい技術の前述とするものである。
【発明の概要】
【課題を解決するための手段】
【０００４】
本願の一局面によれば、無線通信のための装置を提供し、基地局のアンテナ配置に基づいて基地局の下りリンク参照信号を複数の空間次元上でそれぞれ配置し、及び基地局が複数の空間次元上で下りリンク参照信号をそれぞれ送信する指示を含む制御メッセージを生成し、基地局がサービスする通信デバイスに用いるように配置されている一つ又は複数のプロセッサを含む。
【０００５】
本出願のその他の一局面によれば、無線通信のための装置を提供し、基地局からの制御メッセージに基づいて基地局の下りリンク参照信号を複数の空間次元上でそれぞれ配置し、基地局が複数の空間次元上で前記下りリンク参照信号をそれぞれ送信する指示を含む制御メッセージを生成して、基地局がサービスする通信デバイスに用いられるように配置されている一つ又は複数のプロセッサを含む。
【０００６】
本願の一局面によれば、無線通信のための方法をさらに提供し、基地局のアンテナ配置に基づいて、基地局の下りリンク参照信号を複数の空間次元上でそれぞれ配置し、基地局が複数の空間次元上で下りリンク参照信号をそれぞれ送信する指示を含む制御メッセージを生成して、基地局がサービスする通信デバイスに用いられることを含む。
【０００７】
本出願のその他の一局面によれば、無線通信のための装置をさらに提供し、基地局からの制御メッセージに基づいて、基地局が複数の空間次元上で下りリンク参照信号をそれぞれ送信することを確定し、基地局の測定指示に応答して、相応する空間次元上の下りリンク参照信号を測定し相応する空間次元上の測定フィードバック情報を生成することを含む。
【０００８】
本発明の他の局面によれば、上記した無線通信のための方法を実現するためのコンピュータプログラムコードとコンピュータプログラム製品、及びその上に当該上記基地局側とユーザー機器側との無線通信ための方法を実現するためのコンピュータプログラムコードが記録されたコンピュータ読み取り可能な記憶媒体をさらに提供する。
【０００９】
本願の無線通信のための装置と方法によれば、複数の空間次元の下りリンク参照信号に対する独立配置と測定フィードバックを実現することにより、低いシグナリングオーバーヘッドと複雑度を有し、測定フィードバック方案がフレキシブルであるのでさらにシステムのオーバーヘッドを低減させ、複数の空間次元のチャネル情報を効果的に得ることで空間リソースを十分に利用するようにし、システム性能を向上させるという効果の少なくとも一つが得られる。
【００１０】
本開示の上記および他の利点は、以下図面を参照しながら本発明の好適な実施例の詳細な記述により、より明らかとなるであろう。
【図面の簡単な説明】
【００１１】
さらに、本発明の以上、他の利点や特徴を説明するために、以下で図面を参照しながら本発明の具体的実施形態についてより詳細な説明を行う。前記図面は以下の詳細説明とともに本明細書に含まれ且つ本明細書の一部を形成する。同一の機能と構造を有する部品は同一参照符号で示す。理解すべきことは、これらの図面は本発明の典型例しか記述しないが、本発明の範囲を限定することと見なさない。図面において、
【図１】本願の一実施例による無線通信のための装置の構成ブロック図を示している。
【図２】本願の一実施例による無線通信のための装置の一つの具体的実現方式の構成ブロック図を示している。
【図３】ＣＳＩ−ＲＳ伝送及びＣＳＩフィードバックに関するシグナリングフローチャート及びその中の各プロセスに関連する３ＧＰＰ標準を示している。
【図４】Ｈ−ＣＳＩ−ＲＳとＶ−ＣＳＩ−ＲＳとのサブフレーム配置の一例を示している。
【図５】Ｈ−ＣＳＩ−ＲＳとＶ−ＣＳＩ−ＲＳとが同一の伝送周期を有する際のサブフレーム位置の一つの具体的例を示している。
【図６】従来の標準においてＩＣＱＩ／ＰＭＩと、フィードバック周期Ｎｐｄと、フィードバックサブフレームオフセットＮＯＦＦＳＥＴ，ＣＱＩとのマッピング関係を示している。
【図７】本願の実施例によるＦＤＤシステムにおいてＩＣＱＩ／ＰＭＩと、フィードバック周期Ｎｐｄと、フィードバックサブフレームオフセットＮＯＦＦＳＥＴ，ＣＱＩとのマッピング関係の例の図を示している。
【図８】本願の実施例によるＴＤＤシステムにおいてＩＣＱＩ／ＰＭＩと、フィードバック周期Ｎｐｄと、フィードバックサブフレームオフセットＮＯＦＦＳＥＴ，ＣＱＩとのマッピング関係の例の図を示している。
【図９】本願の実施例によるＣＳＩリクエストフィールドの定義の例の図を示している。
【図１０】本願の実施例によるＣＳＩリクエストフィールドの定義の他の一例の図を示している。
【図１１】本願の一実施例による無線通信のための装置の構成ブロック図を示している
【図１２】本願の一実施例による無線通信のための装置の一つの具体的実現方式の構成ブロック図を示している。
【図１３】本願の一実施例による無線通信のための方法を示すフローチャートである。
【図１４】本願の一実施例による無線通信のための方法を示すフローチャートである。
【図１５】進化型ノードＢ（ｅＮＢ）の例示的配置の第一の例を示すブロック図である。
【図１６】ｅＮＢの例示的配置の第二の例を示すブロック図である。
【図１７】ユーザー機器の第一の応用例の例示的配置の例を示すブロック図である。
【図１８】ユーザー機器の第二の応用例の例示的配置の例を示すブロック図である。
【図１９】本発明の実施例による方法及び／又は装置及び／又はシステムを実現できる汎用のパソコンの例示的構造のブロック図である。
【発明を実施するための形態】
【００１２】
以下、図面に基づいて、本発明の例示的な実施例を記述する。明らか、簡明のために、明細書において実際の実施形態の全部特徴を記述しない。但し、理解すべきことは、開発者の具体的な目標を達成するために、いかなるのこれらの実際の実施例を開発する過程で実施形態に特定する決定をしなければならず、例えば、システム及び業務に関する制限条件に適い、且つこれら制限条件は、実施形態が異なるに伴って変わる。加えて、理解すべきことは、開発仕事が複雑かつ時間が掛かるものであり得るが、本開示内容の利益を享受する当業者にとって、このような開発仕事はきまり通り行う任務に過ぎない。
【００１３】
ここで、さらに説明する必要がある点は、不必要な細部によって本開示をぼかすことを避けるために、図面において、少なくとも本発明の方案に緊密に関連するデバイス構成及び／又は処理ステップのみを示し、本発明に関係がない他の内容を省略した。
【００１４】
＜第一の実施例＞
図１は、本願の一実施例による無線通信のための装置１００の構成ブロック図を示しており、当該装置１００は、基地局のアンテナ配置に基づいて基地局の下りリンク参照信号を複数の空間次元上でそれぞれ配置し、基地局が前記複数の空間次元上で下りリンク参照信号をそれぞれ送信する指示を含む制御メッセージを生成し、基地局がサービスする通信デバイスに用いられるように配置されている一つ又は複数のプロセッサ１０１を含む。
【００１５】
装置１００が存在する無線通信システムでは、基地局は、複数の空間次元のアンテナアレイ、例えば水平方向と垂直方向の二次元アンテナアレイを有する。従来の下りリンク参照信号は一次元アンテナアレイのみに対して、例えばＭＩＭＯシステムにおいて水平次元のみに対して設計するので、他の次元上のチャネル情報を取得するために、別途の配置を行う必要がある。そして、例えば、水平次元と垂直次元とが異なる伝送環境を有することを考慮して、水平次元上で、チャネルはもっと散乱チャネルとなり、垂直次元上で、チャネルはもっと見通しチャネルとなるので、水平次元と垂直次元とで定義するコードブックが異なる可能性がある。よって、下りリンクチャネル測定、推定又は復調を行う必要がある通信デバイス、例えば、ユーザー機器は、現在の下りリンク参照信号が水平次元であるか垂直次元であるかを知る必要がある。本実施例の装置１００では、基地局のアンテナ配置、例えばアンテナアレイの空間次元の分布に基づいてどの空間次元上で下りリンク参照信号を送信するかを決定し、それぞれの空間に対してそれぞれ配置を行い、例えば水平次元に対する配置と共用する配置を使用してもよい。相応して、複数の空間次元上で下りリンク参照信号をそれぞれ送信することを指示する制御メッセージを生成し、基地局がサービスするユーザー機器はこのことを知るとともに受信した参照信号を正確に解析するようにする。
【００１６】
本実施例及び以下の実施例において、装置１００は、基地局として実現されてもよく、基地局はいずれかのタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、いずれかの他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される一つ又は複数のリモート無線ヘッド（ＲＲＨ）とを含んでもよい。各種のタイプの端末デバイスは、基地局機能を一時又は半恒久的に実行することにより基地局として作動することが可能である。また、装置１００は、いずれかのタイプのサーバー、例えばタワー型サーバー、ラック型サーバー及びブレード型サーバーとして実現されることが可能である。装置１００は、サーバー上の制御モジュール（例えば単一のチップを含む集成回路モジュール、及びブレード型サーバーのスロットに挿入されるカード若しくはブレード（ｂｌａｄｅ））に搭載されるチップであってもよい。例えば、装置１００が存在する通信システムはＣ−ＲＡＮ技術を応用し、装置１００は、コアネットワーク又はクラウドＢＢ（Ｃｌｏｕｄ  ＢＢ）側に設置されるサーバーとして実現されることが可能であり。装置１００はその管理範囲内のＲＲＨのアンテナ配置に基づいて下りリンク参照信号を複数の空間次元上でそれぞれ配置し、複数の空間次元上で下りリンク参照信号をそれぞれ送信する指示制御メッセージを生成しＲＲＨにより送信するようにする。以下の記述において、主に、装置１００が基地局として実現されることを例として説明し、本願が開示する範囲はここに限定されないと理解される。
【００１７】
基地局がサービスする通信デバイスは、ユーザー機器として実現されることが可能であり、ユーザー機器は、例えば、基地局がサービスする移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されることが可能である。ユーザー機器は、マシンツーマシン（Ｍ２Ｍ）通信を実行する端末（マシン型通信（ＭＴＣ）端末とも称する）として実現されることも可能である。また、ユーザー機器は、上記端末における端末ごとに取り付けられた無線通信モジュール（例えば単一のチップを含む集成回路モジュール）であってもよい。
【００１８】
また、幾つかのオプションの例において、基地局がサービス／管理する通信デバイスは、例えば中継基地局、スモールｅＮＢなどの、無線インタフェースを通じて基地局と通信する必要があり且つチャネル検出を行うインフラとして実現されることが可能である。以下の記述において、主に、ユーザー機器を例として説明し、本願が開示する範囲はここに限定されると理解される。
【００１９】
プロセッサ１０１は、例えばデータ処理能力を有する演算処理ユニット（ＣＰＵ）、マイクロプロセッサ、集成回路モジュールなどであってもよい。
【００２０】
また、図１の破線枠に示すように、装置１００の一例において、装置１００が基地局である場合に、装置１００は、複数の空間次元のそれぞれに対して、ユーザー機器へ当該空間次元上の下りリンク参照信号をそれぞれ送信し、及びユーザー機器からそれぞれの空間次元に対する参照信号測定フィードバックを受信するように配置されている送受信ユニット１０２をさらに含むこともできる。
【００２１】
相応して、図２は、装置１００（図２において装置２００と標識される）の具体的実現方式の構成ブロック図を示し、且つ以下で当該ブロック図を参照して装置２００の機能と構成を詳細に記述する。図２に示すように、装置２００は、基地局のアンテナ配置に基づいて基地局の下りリンク参照信号を複数の空間次元上でそれぞれ配置するように配置されている参照信号配置モジュール２０１と、基地局が前記複数の空間次元上で下りリンク参照信号をそれぞれ送信する指示を含む制御メッセージを生成し、基地局がサービスするユーザーに用いられるように配置されている制御メッセージ生成モジュール２０２とを含む。
【００２２】
一例において、参照信号配置モジュール２０１は、異なる空間次元の下りリンク参照信号を、異なるアンテナポートにより送信するように配置する。
【００２３】
ユーザー機器が相応する空間次元の下りリンク参照信号を区別できるようにするために、参照信号配置モジュール２０１は、異なる空間次元の下りリンク参照信号を同じ仕様で異なる伝送リソースにマッピングしてもよく、なお、伝送リソースはサブフレーム又は時間スロットの少なくとも一つに対応する。言い換えれば、異なる空間次元上の下りリンク参照信号は異なるサブフレーム又は時間スロットで伝送されることで、ユーザー機器はサブフレーム又は時間スロットの位置に応じて下りリンク参照信号に対応する空間次元を判断できるようにする。
【００２４】
次に、制御メッセージ生成モジュール２０２は、基地局が複数の空間次元上で下りリンク参照信号をそれぞれ送信する指示を制御メッセージに含んで、例えば新しい伝送モードを定義することで当該指示を反映することが可能である。以下、具体的応用例と結合してこのような新しい伝送モードの定義を記述する。
【００２５】
一例において、制御メッセージ生成モジュール２０２は、さらに、基地局の特定の空間次元上の下りリンク参照信号に対する送信パラメーター及び／又はユーザー機器の特定の空間次元上の下りリンク参照信号に対する測定フィードバックパラメーターを、制御メッセージに含むように配置されている。当該制御メッセージに含まれる送信パラメーターと測定フィードバックパラメーターは、ユーザー機器が例えば受信した下りリンク参照信号正確に解析するような各種の操作を行うために供されることが可能である。
【００２６】
例えば、送信パラメーターは、特定の空間次元に対応する参照信号ポート配置パラメーターと、周期配置パラメーターと、サブフレームオフセット情報との少なくとも一つを含み、フィードバックパラメーターはユーザー機器に配置されて特定空間次元に相応する参照信号を行う測定フィードバック周期配置パラメーター及びサブフレームオフセット情報との少なくとも一つを含む。なお、参照信号ポート配置パラメーターは、相応する空間次元の参照信号に割り当てられたアンテナポート数及び／又はアンテナポート番号を含んでもよく、周期配置パラメーターは下りリンク参照信号の送信周期などを含み、サブフレームオフセット情報は、下りリンク参照信号のサブフレームでのオフセット量などを含む。測定フィードバック周期配置パラメーター及びサブフレームオフセット情報は、例えば相応する空間次元上の参照信号の測定フィードバックの送信周期及びサブフレームでのオフセット量をそれぞれ含んでもよい。
【００２７】
注意すべきところは、送信パラメーターとフィードバックパラメーターとは、全部の空間次元上の相関パラメーターを含んでもよく、幾つかの空間次元上の相関パラメーターのみを含んでもよい。例えば、水平次元と垂直次元とを考慮した場合に、水平次元について、既存の送信パラメーターとフィードバックパラメーターとを踏襲することにより、垂直次元上の送信パラメーターとフィードバックパラメーターとのみを送信することができると。もちろん、これはあくまでも例示であり、他の方式を採用することが可能であり、例えば基地局側とユーザー機器側とでそれぞれの次元の送信パラメーターとフィードバックパラメーターとを予めを約束しておくことにより、次元のいずれにもこれらのパラメーターを送信しない。
【００２８】
なお、それぞれの空間次元に対応する参照信号の送信周期は、異なるように設置されてもよい。もちろん、必要に応じて、それを同じに設置してもよい。類似して、それぞれの空間次元に対応する参照信号の測定フィードバック周期は、異なるように設置されてもよく、必要に応じて、それを同じに設置してもよい。
【００２９】
また、測定フィードバックは非周期的であってもよく、例えばユーザー機器をトリガーしてフィードバックを行う方式により行う。例えば、基地局はＰＤＣＣＨが担持するＤＣＩ情報に含まれているＣＳＩリクエストドメインによりユーザー機器に対して非周期測定フィードバックを行う又は行わないことを指示する。フィードバック方式はそれぞれの空間次元に対して独立に設定されているので、全ての空間次元に対して以下の各種の設置を得ることができ、即ち、全ての空間次元に対していずれも周期的測定フィードバックを行うように配置でき、且つフィードバック周期が同じである配置、全ての空間次元に対していずれも周期的測定フィードバックを行うように配置できるがフィードバック周期は不完全に同じ又は完全に同じである配置、一部の空間次元に対して周期的測定フィードバックを行うように配置でき、残った空間次元は非周期的測定フィードバックのみを行い、その中、周期的にフィードバックするフィードバック周期が同じであってもよく、異なってもよい配置、全ての空間次元に対していずれも非周期的測定フィードバックを行う配置であると理解される。
【００３０】
本実施例の装置２００は、ユーザー機器の参照信号測定フィードバック方式に対する設置は非常にフレキシブルであることが分かる。
【００３１】
以上のように、一例において、装置２００は、基地局であってもよく、図２の破線枠に示すように、装置２００は、複数の空間次元のそれぞれに対して、ユーザー機器へ当該空間次元上の下りリンク参照信号をそれぞれ送信し、及びユーザー機器からそれぞれの空間次元に対する参照信号測定フィードバックを受信するように配置されている送受信モジュール２０３をさらに含むこともできる。
【００３２】
一例において、送受信モジュール２０３は、異なるサブフレーム上でそれぞれの空間次元に対応する参照信号を送信し、及び異なるサブフレーム上でそれぞれの空間次元に対応する測定フィードバックを受信するように配置されている。このようにすれば、基地局側は受信した測定フィードバックのサブフレームの位置に応じてそれに対応する空間次元を区分することができるとともに、ユーザー機器側は受信した下りリンク参照信号のサブフレームの位置に応じてそれに対応する空間次元を区分することができるようにする。
【００３３】
ユーザー機器は、複数の空間次元上の下りリンク参照信号を受信した後に、サブフレームの位置に応じて下りリンク参照信号を空間次元と対応付け、相応する測定を行い、次に、制御メッセージにおけるフィードバックパラメーターに従って異なるサブフレーム上で相応する空間次元の測定結果をフィードバックする。
【００３４】
例示的に、参照信号測定フィードバックは、参照信号に基づいて得られたチャネル推定情報を含み、チャネル品質指標（ＣＱＩ）、プリコーディングマトリクス指標（ＰＭＩ）、ランク指標（ＲＩ）、参照信号受信電力（ＲＳＲＰ）などの測定強度値を含むが、これらに限定されない。上記のように、測定フィードバックは、周期的であってもよく、非周期的であってもよく、そして、異なる空間次元フィードバック方式について、違いに設置してもよい。
【００３５】
なお、送受信モジュール２０３は、物理上りリンク制御チャネル（ＰＵＣＣＨ）又は物理上りリンクデータチャネル（ＰＵＳＣＨ）により周期的測定フィードバック結果を受信してもよい。また、一例において、送受信モジュール２０３は、物理上りリンクデータチャネル（ＰＵＳＣＨ）のみで複数の空間次元のうちの一部の空間次元に対応する参照信号の測定フィードバックを受信する。例えば、測定フィードバックが非周期的フィードバックである場合に、送受信モジュール２０３はＰＵＳＣＨのみで測定フィードバック結果を受信する。
【００３６】
なお、少なくとも一部の空間次元に非周期的フィードバック方式を配置する際に、制御メッセージ生成モジュール２０２は、さらに、特定の空間次元に対応する参照信号に対する非周期的フィードバックリクエストを、下りリンク制御情報（ＤＣＩ）又はランダムアクセス応答（ＲＡＲ）を含んでユーザー機器に用いるように配置されている。ユーザー機器は、当該非周期測定フィードバックリクエストを受信した後に、リクエストに含まれている特定の空間次元の参照信号に対して非周期的測定フィードバックを行う。
【００３７】
例示的に、送受信モジュール２０３は、第一の空間次元に対応する参照信号測定フィードバックの上りリンクサブフレームの後の一番目の利用可能な上りリンクサブフレーム上で第二の空間次元に対応する参照信号測定フィードバックを受信するように配置されている。もちろん、これに限定されなく、二番目、三番目などの利用可能な上りリンクサブフレーム上で上記測定フィードバックを受信してもよい。しかし、フィードバックするサブフレームが近いほど、リアルタイム性が良くなり、フィードバック情報が正確になると理解すべきである。
【００３８】
以上のように、装置１００と２００は、複数の空間次元の下りリンク参照信号及び測定フィードバックに対してそれぞれ配置を行うことにより、複数の空間次元上のチャネル情報の取得を実現し、システムの性能を向上させるようになる。
【００３９】
＜第二の実施例＞
当該実施例において、下りリンク参照信号は、チャネル状態情報参照信号（ＣＳＩ−ＲＳ）であり、制御メッセージは、無線リソース制御（ＲＲＣ）シグナリングである。例えば、複数の空間次元は水平方向と垂直方向とを含む。
【００４０】
従来技術で水平方向のみに対してＣＳＩ−ＲＳを配置し、相応するＲＲＣシグナリングにおいて水平方向のみを定義する。水平方向と垂直方向との二つの空間次元がある場合に、ＣＳＩ−ＲＳとＲＲＣシグナリングとを新たに定義する必要がある。
【００４１】
参照信号配置モジュール２０１は、ＣＳＩ−ＲＳ（Ｈ−ＣＳＩ−ＲＳ）に第一のアンテナポートグループを配置し、垂直ＣＳＩ−ＲＳ（Ｖ−ＣＳＩ−ＲＳ）に第二のアンテナポートグループを配置するように配置され、なお、第一、第二のポートグループのそれぞれは、八個の異なるアンテナポートを含む。例えば、従来技術と比べて、水平ＣＳＩ−ＲＳの送信アンテナポートが不変であるが、八個のアンテナポートを新しく増加して垂直ＣＳＩ−ＲＳの送信に用いる。
【００４２】
一例において、制御メッセージ生成モジュール２０２は、基地局が水平と垂直空間次元上でＣＳＩ−ＲＳを送信する指示を、伝送モード情報ユニットの形でＲＲＣシグナリングに含むように配置されている。
【００４３】
従来の伝送モード１〜１０は、８個のＣＳＩ−ＲＳアンテナポートのみを最大限にサポートするので、本発明において１６個のＣＳＩ−ＲＳアンテナポートをサポートする新伝送モード１１を設計し、その中、８個のアンテナポートがＨ−ＣＳＩ−ＲＳ（例えば既存の伝送モードの８個のアンテナポートと同じであってもよい）の送信に用いられ、他の８個のアンテナポートがＶ−ＣＳＩ−ＲＳの送信に用いられる。
【００４４】
図３は、本発明を応用するＣＳＩ−ＲＳ伝送及びＣＳＩフィードバックに関するシグナリングフローチャートの例を示している。図３に示すように、ユーザー機器側は、まず、基地局側へＲＲＣ接続リクエストを送信し、次に、基地局側はユーザー機器側へＲＲＣ接続確立コマンドを送信し、ユーザー機器側は確認した後に基地局側へＲＲＣ接続確立が完了するコマンドを送信する。ＲＲＣ接続が完了した後に、基地局側は周期的にユーザー機器側へ二次元のＣＳＩ−ＲＳを送信し、ユーザー機器側は、当該ＣＳＩ−ＲＳに応じて二次元のＣＳＩを算出しそれを基地局側にフィードバックする。
【００４５】
基地局側が本発明に係る具体的シグナリング情報を生成することについて、例えば、基地局側は、
［１］伝送モードｔｍ１１をＡｎｔｅｎｎａＩｎｆｏＤｅｄｉｃａｔｅｄ−ｒ１０におけるパラメーターｔｒａｎｓｍｉｓｓｉｏｎＭｏｄｅ−ｒ１０に含み、
［２］一つ一つ列挙型ａｎ１６（１６個のＣＳＩ−ＲＳアンテナポートを使用することを示す）をＣＳＩ−ＲＳ  ｃｏｎｆｉｇ−ｒ１３におけるａｎｔｅｎｎａＰｏｒｔｓＣｏｕｎｔ−ｒ１３パラメーターに含み、
［３］Ｈ−ＣＳＩ−ＲＳとＶ−ＣＳＩ−ＲＳとのサブフレーム配置情報を生成し、
［４］Ｈ−ＣＳＩとＶ−ＣＳＩとのフィードバック配置情報を生成する。
【００４６】
なお、従来のＣＳＩ−ＲＳは、１、２、４、８のアンテナポートのみで伝送され、使用するポート番号は、それぞれ、ｐ＝１５、ｐ＝１５，１６、ｐ＝１５，…，１８、ｐ＝１５，…，２２である。本願においてＶ−ＣＳＩ−ＲＳを伝送するアンテナポート番号は、ｐ１，ｐ２，…，ｐ８として示している。例えば、先行の３ＧＰＰのＬＴＥ標準に従って、ポートｐに対応する参照信号
【数１】
2018514965.tif 000003
は複素変調符号
【数２】
2018514965.tif 000004
にマッピングされる必要があり、マッピングルールは下式（１）とおりである。
【００４７】
【数３】
2018514965.tif 000005
【００４８】
なお、式（１）における他のパラメーターは従来の標準の定義と一致している。本願において、アンテナポートｐ１，ｐ２，…，ｐ８はマッピング関係に添加され、例えば下式（２）に示すようである。
【００４９】
【数４】
2018514965.tif 000006
【００５０】
なお、垂直次元のＣＳＩ−ＲＳ（ポートｐ１，ｐ２，…，ｐ８に対応する）と水平次元のＣＳＩ−ＲＳ（ポート１５，…，２２に対応する）とは同じ仕様（ｐａｔｔｅｒｎ）で異なる伝送リソース上にマッピングされて、ユーザー機器が区分できるようにし、伝送リソースは、サブフレーム又は時間スロットの少なくとも一つに対応する。具体的に、垂直次元のＣＳＩ−ＲＳのリソースブロック図でのマッピングパターンは水平次元と同じであるが、両者は異なるサブフレーム又は時間スロット上で送信されることにより、混乱を回避することができる。
【００５１】
また、ユーザー機器側は、それぞれの次元のＣＳＩ−ＲＳの送信時間例えばサブフレーム位置を知る必要があることで、相応する次元のＣＳＩ−ＲＳを正確に獲得し、ひいて、ＣＳＩフィードバックを行う。一例において、制御メッセージ生成モジュール２０２は、ＲＲＣシグナリングのＣＳＩ−ＲＳ−ＣｏｎｆｉｇにおけるＳｕｂｆｒａｍｅＣｏｎｆｉｇパラメーター（ＩＣＳＩ−ＲＳ）を利用して、異なる次元の参照信号送信時間に対して配置を行うことを指示し、異なる次元の参照信号のＳｕｂｆｒａｍｅＣｏｎｆｉｇパラメーターの値範囲が異なる。
【００５２】
図４は、Ｈ−ＣＳＩ−ＲＳとＶ−ＣＳＩ−ＲＳとのサブフレーム配置の一例を示している。図４に示す表において、ＩＣＳＩ−ＲＳと、ＣＳＩ−ＲＳ周期と、ＣＳＩ−ＲＳサブフレームオフセットの対応関係を示し、その中、Ｈ−ＣＳＩ−ＲＳに関する部分は従来の標準で定義されるものであり、Ｖ−ＣＳＩ−ＲＳに関する部分は新しく添加するものである。従来の標準と比べて、本願は、ＩＣＳＩ−ＲＳの範囲を拡大するようになることが分かる。
【００５３】
当該表は、例えば予め同時に基地局側とユーザー機器側とに保存されている。ユーザー機器側はＲＲＣシグナリングを受信しその中からＣＳＩ−ＲＳ−ＣｏｎｆｉｇにおけるＳｕｂｆｒａｍｅＣｏｎｆｉｇパラメーター、即ちＩＣＳＩ−ＲＳを解析した場合に、当該値を利用して表検索を行うことにより、相応するＣＳＩ−ＲＳ周期とＣＳＩ−ＲＳサブフレームオフセットとを知る。水平次元と垂直次元とのＩＣＳＩ−ＲＳの値範囲が異なるので、具体的数値に応じて水平次元に対応するか垂直次元に対応するかを区分することが可能である。
【００５４】
なお、Ｈ−ＣＳＩ−ＲＳとＶ−ＣＳＩ−ＲＳとの伝送周期は同じであってもよく、異なってもよいが、両者が異なるサブフレーム上で伝送されることを要求し、これは、適当なＩＣＳＩ−ＲＳ，ＨとＩＣＳＩ−ＲＳ，Ｖとを設置することで実現することができる。
【００５５】
例えば、Ｈ−ＣＳＩ−ＲＳとＶ−ＣＳＩ−ＲＳに同じ伝送周期を配置すると、周期がＴＣＳＩ−ＲＳ＝５ｍｓである例として、ＩＣＳＩ−ＲＳ，Ｈを０とし、ＩＣＳＩ−ＲＳ，Ｖを１５６とすると、Ｈ−ＣＳＩ−ＲＳはサブフレーム０、５、１０．．．上で伝送され、Ｖ−ＣＳＩ−ＲＳはサブフレーム１、６、１１上で伝送され、図５に示すようである。より一般的に、Ｈ−ＣＳＩ−ＲＳとＶ−ＣＳＩ−ＲＳが同じ伝送周期を配置する場合に、それらの各々のサブフレームオフセットΔＣＳＩ−ＲＳ，ＨとΔＣＳＩ−ＲＳ，Ｖは、
【数５】
2018514965.tif 000007
を満たす必要がある。
【００５６】
なお、ａとｂは二つの正の整数である。言い換えれば、式（３）はＨ−ＣＳＩ−ＲＳとＶ−ＣＳＩ−ＲＳとのサブフレーム位置が異なることを確保する。
【００５７】
一方、Ｈ−ＣＳＩ−ＲＳとＶ−ＣＳＩ−ＲＳが異なる伝送周期を配置すると、例えば、Ｈ−ＣＳＩ−ＲＳの伝送周期がＴＣＳＩ−ＲＳ，Ｈ＝５ｍｓであり、Ｖ−ＣＳＩ−ＲＳの伝送周期がＴＣＳＩ−ＲＳ，Ｖ＝２０ｍｓであり、ＩＣＳＩ−ＲＳ，Ｈが１に設置されると、Ｖ−ＣＳＩ−ＲＳのサブフレームオフセットΔＣＳＩ−ＲＳ，Ｖは、
【数６】
2018514965.tif 000008
を満足する必要がある。
【００５８】
なお、ｃとｄとは、二つの正の整数である。上記不等式（４）は、以下の不等式（５）に簡略化することができる。
【００５９】
【数７】
2018514965.tif 000009
【００６０】
従って、ΔＣＳＩ−ＲＳ，Ｖ≠１＋５ｃ−２０ｄであり、また、（１＋５ｃ−２０ｄ）ｍｏｄ５＝１であるので、ΔＣＳＩ−ＲＳ，Ｖは、以下の不等式（６）を満足する必要がある。
【００６１】
【数８】
2018514965.tif 000010
【００６２】
理解すべきことは、以上はあくまでも例示であり、Ｈ−ＣＳＩ−ＲＳとＶ−ＣＳＩ−ＲＳに対して他のサブフレーム配置を行ってもよい。異なるサブフレーム上でＨ−ＣＳＩ−ＲＳとＶ−ＣＳＩ−ＲＳを伝送することにより、ユーザー機器側は、ＣＳＩ−ＲＳを担持するサブフレームの位置に応じてＨ−ＣＳＩ−ＲＳであるかＶ−ＣＳＩ−ＲＳであるかを判断することができ、余分な指示を不要とするようになり、これにより、シグナリングオーバーヘッドを低減させるようになる。
【００６３】
また、基地局側には、ユーザー機器がＣＳＩフィードバックを行う相関パラメーターを設定する必要があり、ユーザー機器に提供する。一例において、制御メッセージ生成モジュール２０２は、ＲＲＣシグナリングのｃｑｉ−ｐｍｉ−ＣｏｎｆｉｇＩｎｄｅｘパラメーター（ＩＣＱＩ／ＰＭＩ）を利用して、ユーザー機器に水平と垂直空間次元のチャネル状態情報フィードバックに対する配置を指示してもよく、なお、垂直空間次元のチャネル状態情報フィードバックの配置に対応するｃｑｉ−ｐｍｉ−ＣｏｎｆｉｇＩｎｄｅｘパラメーターの値は水平空間次元と異なる。
【００６４】
従来の標準では、周期的ＣＳＩフィードバックを定義し、ＦＤＤシステムを例として、ＩＣＱＩ／ＰＭＩと、フィードバック周期Ｎｐｄと、フィードバックサブフレームオフセットＮＯＦＦＳＥＴ，ＣＱＩとのマッピング関係は、図６に示すようであり、図６から見て、５４２≦ＩＣＱＩ／ＰＭＩ≦１０２３の部分は使用されないので、本発明は、これらのリザーブ値を使用して垂直次元のＩＣＱＩ／ＰＭＩ、及びそれのＮｐｄとＮＯＦＦＳＥＴ，ＣＱＩとに対するマッピング関係を指示し、例えば図７と図８に示すように、ＦＤＤシステムとＴＤＤシステムとにそれぞれ対応する。
【００６５】
図７又は図８の表は同時に基地局側とユーザー機器側とに保存されている。ユーザー機器側はＲＲＣシグナリングを受信し且つその中からｃｑｉ−ｐｍｉ−ＣｏｎｆｉｇＩｎｄｅｘパラメーターを解析した場合に、表検索により、対応するＮｐｄとＮＯＦＦＳＥＴ，ＣＱＩを取得し、取得した周期とサブフレームオフセットとで相応する空間次元上のＣＳＩをフィードバックする。
【００６６】
なお、Ｈ−ＣＳＩとＶ−ＣＳＩとのフィードバック周期は、同じであってもよく、又は異なってもよく、でも、必ず異なる上りリンクサブフレーム上でフィードバックを行わなければならない。適当なＩＣＱＩ／ＰＭＩ，ＨとＩＣＱＩ／ＰＭＩ，Ｖとを選択することでＨ−ＣＳＩとＶ−ＣＳＩとが同じサブフレーム上でフィードバックされることを回避することができる。
【００６７】
また、ＣＳＩの非周期的フィードバックがさらに設置されてもよい。例えば、ＤＣＩにおけるＣＳＩリクエストドメインに相応するビット情報を含んでいる場合に、ユーザー機器は、当該次元に対してＣＳＩの非周期的フィードバックを行うべきである。
【００６８】
相応して、基地局側は、下りリンク制御情報（ＤＣＩ）又はランダムアクセス応答（ＲＡＲ）により非周期的ＣＳＩフィードバックのリクエストを送信してもよい。例えば、ＤＣＩフォーマット０／４におけるＣＳＩリクエストフィールドにより非周期的ＣＳＩフィードバックをトリガーするかどうかを指示してもよい。従来の標準において、ＣＳＩリクエストフィールドは１〜２のビットであり、２ビットのＣＳＩリクエストフィールドは、一つより多い下りリンクセルが配置され且つ相応するＤＣＩフォーマットがＣ−ＲＮＴＩから与えるＵＥ特定の探索空間における受信機のみに適用するので、一つのビットのみは非周期ＣＳＩフィードバックを指示するのに用いられることができる。言い換えれば、従来の標準のＣＳＩリクエストフィールドは、二つの状態（０又は１）しか指示しないことができるので、それは、それぞれ、水平次元と垂直次元とがともに非周期的フィードバックをトリガーすること、水平次元も垂直次元も非周期的フィードバックをトリガーしないことに対応するように規定される。もちろん、これに限定されなく、例えば、さらに、二つの状態は、それぞれ、垂直次元が非周期的フィードバックをトリガーすること、水平次元が非周期的フィードバックをトリガーする（又は逆に）ことに対応するように規定されてもよい。このような方式の利点は別途にＣＳＩリクエストフィールドを設置する必要がないことである。
【００６９】
また、ＣＳＩリクエストフィールドは、例えば、１ビットを増加して水平方向と垂直方向とのフィードバック方式の各種の組合せを示すように設置してもよく、図９と図１０は、それぞれ、増加後の２ビットＣＳＩリクエストフィールドと、３ビットリクエストフィールドにそれぞれ対応する状態を示している。２ビットを用いて、水平方向と垂直方向とがそれぞれ周期的ＣＳＩフィードバックを行うかどうかを記述するので、当該方案は、全ての可能をカバーするようになり、基地局側は非周期的フィードバックのトリガーをよりフレキシブルに配置できるようにする。
【００７０】
垂直方向は非周期的ＣＳＩフィードバックを行うように配置されると、水平方向のＣＳＩフィードバック後の一番目の利用可能な上りリンクサブフレーム上で当該Ｖ−ＣＳＩを伝送することができる。なお、水平方向は非周期的ＣＳＩフィードバックであってもよく、周期的ＣＳＩフィードバックであってもよく、周期的ＣＳＩフィードバックであると、水平方向は、従来の３ＧＰＰ標準で規定されているフィードバックサブフレーム配置を踏襲することが可能である。
【００７１】
当該実施による装置１００（又は２００）は、従来の標準に加えて、水平次元と垂直次元とのＣＳＩ−ＲＳ及びそのフィードバックに対する配置を実現し、低いオーバーヘッドと複雑度とで水平チャネル情報と垂直チャネル情報との推定及びフィードバックを実現する。
【００７２】
＜第三の実施例＞
図１１は、本願の一実施例による無線通信のための装置３００の構成ブロック図を示し、装置３００は、基地局からの制御メッセージに基づいて、基地局が複数の空間次元上で下りリンク参照信号をそれぞれ送信することを確定し、及び基地局の測定指示に応答して、相応する空間次元上の下りリンク参照信号を測定し相応する空間次元上の測定フィードバック情報を生成するように配置されている一つ又は複数のプロセッサ３０１を含む。
【００７３】
なお、装置３００は、ユーザー機器であってもよく、ユーザー機器は、例えば、基地局がサービスする移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばかーナビゲーション装置）であり、ユーザー機器は、マシンツーマシン（Ｍ２Ｍ）通信を実行する端末（マシン型通信（ＭＴＣ）端末とも称する）として実現されることも可能である。また、ユーザー機器は、上記端末における端末ごとに取り付けられた無線通信モジュール（例えば単一のチップを含む集成回路モジュール）であってもよい。基地局の記述について、第一の実施例に記載するように、ここで重複しない。
【００７４】
また、他の通信デバイス、例えば中継基地局又はスモール基地局などは、それから上記基地局へのチャネル情報を知る必要がある場合に、ここで記述されたユーザー機器とみなすことができる。
【００７５】
プロセッサ３０１は、例えばデータ処理能力を有する演算処理ユニット（ＣＰＵ）、マイクロプロセッサ、集成回路モジュールなどであってもよい。
【００７６】
また、一例において、図１１の破線枠に示すように、装置３００は、複数の空間次元のうちそれぞれに対して、基地局から当該空間次元上の下りリンク参照信号をそれぞれ受信し、及び、基地局へそれぞれの空間次元に対する参照信号測定フィードバックを送信するように配置されている送受信ユニット３０２をさらに含むこともできる。
【００７７】
相応して、図１２は、装置３００（図１２において装置４００と標識される）の一つの具体的例の構成ブロック図を示し、且つ以下で当該ブロック図を参照して装置４００の機能と構成について詳細に記述する。図１２に示すように、装置４００は、基地局からの制御メッセージに基づいて、基地局が複数の空間次元上で下りリンク参照信号をそれぞれ送信することを確定するように配置されている確定モジュール４０１と、基地局の測定指示に応答して、相応する空間次元上の下りリンク参照信号を測定し相応する空間次元上の測定フィードバック情報を生成するように配置されているフィードバック生成モジュール４０２とを含む。
【００７８】
制御メッセージには、ユーザー機器に対して、基地局が複数の空間次元上の下りリンク参照信号を送信することを指示する情報を含み、ユーザー機器は基地局の測定指示を正確に解析して正確な測定とフィードバックを行うようにする。
【００７９】
一例において、制御メッセージは、基地局の特定の空間次元上の下りリンク参照信号に対する送信パラメーター及び／又は装置の特定の空間次元上の下りリンク参照信号に対する測定フィードバックパラメーターを含んでいる。例えば、送信パラメーターは、特定の空間次元に対応する参照信号ポート配置パラメーターと、周期配置パラメーターと、サブフレームオフセット情報との少なくとも一つを含んでもよく、フィードバックパラメーターは、装置に配置された特定の空間次元に相応する参照信号の測定フィードバック周期配置パラメーター、及びサブフレームオフセット情報の少なくとも一つを含んでもよい。なお、第一の実施例のように、参照信号ポート配置パラメーターは、相応する空間次元の参照信号に割り当てられたアンテナポート数及び／又はアンテナポート番号を含んでもよく、周期的配置パラメーターは下りリンク参照信号の送信周期などを含み、サブフレームオフセット情報は下りリンク参照信号のサブフレームでのオフセット量などを含む。測定フィードバック周期配置パラメーター及びサブフレームオフセット情報は、例えば、相応する空間次元上の参照信号の測定フィードバックの送信周期及びサブフレーム上のオフセット量をそれぞれ含んでもよい。類似して、送信パラメーターとフィードバックパラメーターとは、全部の空間次元上の相関パラメーターを含んでもよく、幾つかの空間次元上の相関パラメーターのみを含んでもよく、これは、実際に応用する要求と条件によって選択してもよい。
【００８０】
なお、それぞれの空間次元に対応する参照信号の送信周期は、異なるように設置されてもよい。もちろん、必要に応じて、それを同じに設置してもよい。類似して、それぞれの空間次元に対応する参照信号の測定フィードバック周期は異なるように設置されてもよく、必要に応じて、それを同じに設置してもよい。
【００８１】
また、測定フィードバックは非周期的であってもよい、例えば、ユーザー機器をトリガーしてフィードバックを行う方式により行ってもよい。例えば、ユーザー機器は、基地局がＰＤＣＣＨにより担持するＤＣＩ情報に含まれているＣＳＩリクエストドメインに応じて非周期的測定フィードバックを行う又は行わないかを確定してもよい。フィードバック方式及び周期的フィードバックのフィードバック周期はそれぞれの空間次元に対して独立して設定されるので、全ての空間次元に対してそれぞれの空間次元上で設置されている全てのいずれかの組合せを得ることができると理解される。即ち、本実施例の装置４００は、フレキシブルでさまざまな参照信号測定フィードバック方式をサポートすることができる。
【００８２】
ユーザー機器は、送信パラメーターとフィードバックパラメーターとに応じて、下りリンク参照信号と空間次元との対応関係、及びフィードバックを送信する際に異なる空間次元が採用すべきサブフレーム配置方案を得ることができることが分かる。このように、ユーザー機器は、下りリンク参照信号を受信した後に測定フィードバックを正確に解析し測定フィードバックを行うことができる。
【００８３】
一例において、確定モジュール４０１は、同じ仕様を有する下りリンク参照信号を担持する伝送リソースの違いに応じて下りリンク参照信号に対応する空間次元を確定するように配置され、伝送リソースはサブフレーム又は時間スロットの少なくとも一つに対応する。上記のように、異なる空間次元の下りリンク参照信号は異なる伝送リソースに対応し、当該対応関係は、例えば、予めユーザー機器と基地局とに知られ、基地局は当該対応関係に従って下りリンク参照信号を送信し、ユーザー機器側の確定モジュール４０１は当該対応関係に応じてそれぞれの下りリンク参照信号に対応する空間次元を確定する。例えば、確定モジュール４０１は、下りリンク参照信号を担持するサブフレームの位置に応じて下りリンク参照信号に対応する空間次元を確定してもよい。
【００８４】
以上のように、一例において、装置４００はユーザー機器であってもよく、図１２の破線枠に示すように、装置４００は、複数の空間次元のそれぞれに対して、基地局から当該空間次元上の下りリンク参照信号をそれぞれ受信し、及び基地局へそれぞれの空間次元に対する参照信号測定フィードバックを送信するように配置されている送受信モジュール４０３をさらに含むこともできる。
【００８５】
一例において、送受信モジュール４０３は、異なるサブフレーム上でそれぞれの空間次元に対応する参照信号を受信し、及び異なるサブフレーム上でそれぞれの空間次元に対応する測定フィードバックを送信するように配置されている。
【００８６】
以上のように、参照信号測定フィードバックは、参照信号に基づいて得られたチャネル推定情報を含み、チャネル品質指標（ＣＱＩ）、プリコーディングマトリクス指標（ＰＭＩ）、ランク指標（ＲＩ）、参照信号受信電力（ＲＳＲＰ）などの測定強度値を含むが、これに限定されない。測定フィードバックは、周期的であってもよく、非周期的であってもよく、そして、異なる空間次元フィードバック方式について、違いに設置してもよい。フィードバック方式は、基地局が設定するものであり、そして、例えば制御メッセージによりユーザー機器に通知してもよい。言い換えれば、確定モジュール４０１は、制御メッセージに応じてそれぞれの空間次元の測定フィードバック配置を確定し、そして、フィードバック生成モジュール４０２と送受信モジュール４０３とは、当該配置に従って測定フィードバック情報の生成と送信を行う。
【００８７】
なお、送受信モジュール４０３は、物理上りリンク制御チャネル（ＰＵＣＣＨ）又は物理上りリンクデータチャネル（ＰＵＳＣＨ）により周期的測定フィードバック結果を送信してもよい。また、一例において、送受信モジュール４０３は物理上りリンクデータチャネル（ＰＵＳＣＨ）のみで複数の空間次元のうちの一部の空間次元に対応する参照信号の測定フィードバックを送信する。例えば、測定フィードバックが非周期的フィードバックである場合に、送受信モジュール４０３は、ＰＵＳＣＨのみで測定フィードバック結果を送信する。
【００８８】
一例において、送受信モジュール４０３は、特定の空間次元に対応する参照信号に対する非周期フィードバックリクエストの下りリンク制御情報（ＤＣＩ）又はランダムアクセス応答（ＲＡＲ）をさらに受信する。当該非周期測定フィードバックリクエストを受信後に、ユーザー機器は、リクエストに含まれている特定の空間次元の参照信号に対して非周期測定フィードバックを行う。
【００８９】
送受信モジュール４０３は、第一の空間次元に対応する参照信号測定フィードバックの上りリンクサブフレームの後の一番目の利用可能な上りリンクサブフレーム上で第二の空間次元に対する参照信号測定フィードバックを送信するように配置されている。もちろん、これに限定されなく、二番目、三番目などの利用可能なサブフレーム上で上記測定フィードバックを送信してもよい。でも、フィードバックするサブフレームが近いほど、リアルタイム性がよくなり、フィードバック情報が正確になるようになる。
【００９０】
以上のように、装置３００と４００とは、複数の空間次元の下りリンク参照信号に対する測定フィードバックをサポートできることで、複数の空間次元上のチャネル情報の取得を実現し、システムの性能を向上させるようになる。
【００９１】
一例において、下りリンク参照信号はチャネル状態情報参照信号（ＣＳＩ−ＲＳ）であり、制御メッセージは無線リソース制御（ＲＲＣ）シグナリングである。例えば、複数の空間次元は水平方向と垂直方向とを含む。以上のように、従来の技術で水平方向のみに対してＣＳＩ−ＲＳを配置したので、相応するＲＲＣシグナリングにおいて水平方向にのみに対して定義を行う。水平方向と垂直方向との二つの空間次元がある場合に、ＣＳＩ−ＲＳとＲＲＣシグナリングとを新たに定義する必要がある。
【００９２】
ＲＲＣシグナリングには、伝送モード情報ユニット形を有する基地局が水平と垂直空間次元上でＣＳＩ−ＲＳを送信する指示を含んでいる。例示的に、ＲＲＣシグナリングにおけるｃｑｉ−ｐｍｉ−ＣｏｎｆｉｇＩｎｄｅｘパラメーターは、装置４００に水平と垂直空間次元のチャネル状態情報フィードバックに対する配置を指示し、なお、垂直空間次元のチャネル状態情報フィードバックの配置に対応するｃｑｉ−ｐｍｉ−ＣｏｎｆｉｇＩｎｄｅｘパラメーターの値範囲は水平空間次元と異なる。また、ＲＲＣシグナリングのＣＳＩ−ＲＳ−ＣｏｎｆｉｇにおけるＳｕｂｆｒａｍｅＣｏｎｆｉｇパラメーターは、異なる次元の参照信号送信時間に対する配置を指示し、異なる次元の参照信号のＳｕｂｆｒａｍｅＣｏｎｆｉｇパラメーターの値範囲は異なる。
【００９３】
なお、ＣＳＩ−ＲＳの配置、ＣＳＩフィードバックの配置、及びＲＲＣシグナリングの設置については、第二の実施例に詳細に記述されたので、ここで重複しない。
【００９４】
なお、本願において、主に、ＬＴＥシステムを例として、本発明がＬＴＥシステムに応用された具体的シグナリング、流れなどの実施例を記述したが、本発明は、また、例えばｗｉｍａｘなどの各種の他のＭＩＭＯ技術を応用できる通信システムに応用することもでき、これにより、マルチ次元の参照信号配置、チャネル情報フィードバックなどを実現するようになる。
【００９５】
＜第四の実施例＞
以上の実施形態で無線通信のための装置を記述する過程では、もちろん、幾つかの処理又は方法をさらに開示している。以下で、上記で検討された幾つかの細部を重複しない場合にこれらの方法の概説を与えるが、注意すべきこと、これらの方法は無線通信のための装置を記述する過程で開示されたが、これらの方法は必ず記述されたそれらの部品を採用する必要がある、又は必ずそれらの部品により実行される必要がない。例えば、無線通信のための装置の実施形態は、一部又は完全にハードウェア及び／又はファームウェアを使用して実現されることが可能であり、これらの方法は電子機器のハードウェア及び／又はファームウェアを採用することが可能であるにもかかわらず、以下で検討する無線通信のための方法は、コンピュータが実行可能なプログラムにより完全に実現されることが可能である。
【００９６】
図１３は、本願の一実施例による無線通信のための方法のフローチャートを示し、当該方法は、基地局のアンテナ配置に基づいて、基地局の下りリンク参照信号を複数の空間次元上でそれぞれ配置する（Ｓ１１）と、基地局が前記複数の空間次元上で下りリンク参照信号をそれぞれ送信する指示を含む制御メッセージを生成し、基地局がサービスする通信デバイスに用いられる（Ｓ１２）とを含む。
【００９７】
ステップＳ１１において、異なる空間次元の下りリンク参照信号を、異なるアンテナポートにより送信するように配置してもよい。また、異なる空間次元の下りリンク参照信号を同じ仕様で異なる伝送リソースにマッピングし、通信デバイスが相応する空間次元の下りリンク参照信号を区分するようにしてもよく、なお、伝送リソースはサブフレーム又は時間スロットの少なくとも一つに対応する。異なる伝送リソースを使用して異なる空間次元の下りリンク参照信号を伝送することにより、通信デバイスは異なる空間次元に対応する下りリンク参照信号を区分できるようにする。
【００９８】
ステップＳ１２において、基地局の特定の空間次元上の下りリンク参照信号に対する送信パラメーター及び／又は通信デバイスの特定の空間次元上の下りリンク参照信号に対する測定フィードバックパラメーターを制御メッセージに含んでもよい。例示的に、送信パラメーターは、特定の空間次元に対応する参照信号ポート配置パラメーターと、周期配置パラメーターと、サブフレームオフセット情報との少なくとも一つを含んでもよく、フィードバックパラメーターは通信デバイスに配置された特定の空間次元に相応する参照信号の測定フィードバック周期配置パラメーター、及びサブフレームオフセット情報の少なくとも一つを含んでもよい。なお、それぞれの空間次元に対応する参照信号の送信周期は、異なるように設置されてもよい。それぞれの空間次元に対応する参照信号の測定フィードバック周期は異なるように設置されてもよい。もちろん、当該送信周期及び／又はフィードバック周期は、同じに設定されてもよい。
【００９９】
一例において、上記方法は基地局で実行され、図１３の破線枠に示すように、この場合、当該方法は、前記複数の空間次元のそれぞれに対して、通信デバイスへ当該空間次元上の下りリンク参照信号をそれぞれ送信する（Ｓ１３）と、通信デバイスからそれぞれの空間次元に対する参照信号測定フィードバックを受信する（Ｓ１４）とをさらに含むことができる。
【０１００】
なお、ステップＳ１３において、異なるサブフレーム上でそれぞれの空間次元に対応する参照信号を送信し、そして、ステップＳ１４において、異なるサブフレーム上でそれぞれの空間次元に対応する測定フィードバックを受信する。
【０１０１】
一例において、ステップＳ１４において、物理上りリンクデータチャネル（ＰＵＳＣＨ）のみで複数の空間次元のうちの一部の空間次元に対応する参照信号の測定フィードバックを受信する。なお、ステップＳ１２において、さらに、特定の空間次元に対応する参照信号に対する非周期フィードバックリクエストを下りリンク制御情報又はランダムアクセス応答に含んで前記通信デバイスに用いる。以上のように、周期的測定フィードバックについて、ＰＵＣＣＨ又はＰＵＳＣＨにより測定フィードバック結果を受信してもよい。
【０１０２】
ステップＳ１４において、第一の空間次元に対応する参照信号測定フィードバックの上りリンクサブフレームの後の一番目の利用可能な上りリンクサブフレーム上で第二の空間次元に対応する参照信号測定フィードバックを受信してもよい。
【０１０３】
例として、下りリンク参照信号は、チャネル状態情報参照信号（ＣＳＩ−ＲＳ）であってもよく、制御メッセージは無線リソース制御（ＲＲＣ）シグナリングである。複数の空間次元は水平方向と垂直方向とを含む。
【０１０４】
この場合に、ステップＳ１１において、水平チャネル状態情報参照信号に第一のアンテナポートグループを配置し、垂直チャネル状態情報参照信号に第二のアンテナポートグループを配置し、第一、第二のアンテナポートグループのそれぞれは、八個の異なるアンテナポートを含む。
【０１０５】
ステップＳ１２において、基地局の水平と垂直空間次元でのＣＳＩ−ＲＳの指示を伝送モード情報ユニットの形でＲＲＣシグナリングに含ませる。
【０１０６】
また、ステップＳ１２において、ＲＲＣシグナリングのｃｑｉ−ｐｍｉ−ＣｏｎｆｉｇＩｎｄｅｘパラメーターを利用して、通信デバイス水平と垂直空間次元のチャネル状態情報フィードバックに対する配置を指示してもよく、なお、垂直空間次元のチャネル状態情報フィードバックの配置に対応するｃｑｉ−ｐｍｉ−ＣｏｎｆｉｇＩｎｄｅｘパラメーターの値は水平空間次元と異なる。
【０１０７】
また、ステップＳ１２において、ＲＲＣシグナリングのＣＳＩ−ＲＳ−ＣｏｎｆｉｇにおけるＳｕｂｆｒａｍｅＣｏｎｆｉｇパラメーターを利用して、異なる次元の参照信号送信時間に対して配置を行うことを指示してもよく、異なる次元の参照信号のＳｕｂｆｒａｍｅＣｏｎｆｉｇパラメーターの値範囲は異なる。
【０１０８】
図１４は、本願の他の一実施例による無線通信のための方法のフローチャートを示し、基地局からの制御メッセージに基づいて、基地局複数の空間次元上で下りリンク参照信号をそれぞれ送信することを確定する（Ｓ２１）と、基地局の測定指示に応答して、相応する空間次元上の下りリンク参照信号を測定し相応する空間次元上の測定フィードバック情報を生成する（Ｓ２３）とを含む。
【０１０９】
なお、制御メッセージは、基地局の特定の空間次元上の下りリンク参照信号に対する送信パラメーター及び／又はユーザー機器の特定の空間次元上の前記下りリンク参照信号に対する測定フィードバックパラメーターを含んでよい。例えば、送信パラメーターは、特定の空間次元に対応する参照信号ポート配置パラメーターと、周期配置パラメーターと、サブフレームオフセット情報との少なくとも一つを含み、フィードバックパラメーターは、ユーザー機器に配置された特定の空間次元に相応する参照信号の測定フィードバック周期配置パラメーター及びサブフレームオフセット情報の少なくとも一つを含む。なお、それぞれの空間次元に対応する参照信号の送信周期は、異なるように設置されてよい。それぞれの空間次元に対応する参照信号の測定フィードバック周期は、異なるように設置されてもよい。もちろん、当該送信周期及び／又はフィードバック周期は、同じに設置されてもよい。
【０１１０】
ステップＳ２１において、さらに、同じ仕様を有する下りリンク参照信号の伝送リソースの違いに応じて、下りリンク参照信号に対応する空間次元を確定してもよく、なお、伝送リソースは、サブフレーム又は時間スロットの少なくとも一つに対応する。例えば、下りリンク参照信号を担持するサブフレームの位置に応じて下りリンク参照信号に対応する空間次元を確定してもよい。
【０１１１】
一例において、上記方法は、ユーザー機器により実行されてもよく、図１４の破線枠に示すように、この場合、当該方法は、複数の空間次元のそれぞれに対して、基地局から当該空間次元上の下りリンク参照信号をそれぞれ受信する（Ｓ２２）と、基地局へそれぞれの空間次元に対する参照信号測定フィードバックを送信する（Ｓ２４）とを含むことができる。
【０１１２】
なお、ステップＳ２２において、異なるサブフレーム上でそれぞれの空間次元に対応する参照信号を受信し、ステップＳ２４において、異なるサブフレーム上でそれぞれの空間次元に対応する測定フィードバックを送信する。
【０１１３】
例えば、ステップＳ２４において、物理上りリンクデータチャネルのみで複数の空間次元のうちの一部の空間次元に対応する参照信号の測定フィードバックを送信してもよい。ステップＳ２２において、特定の空間次元に対応する参照信号に対する非周期フィードバックリクエストを含む下りリンク制御情報又はランダムアクセス応答をさらに受信する。上記のように、周期的測定フィードバックについて、ＰＵＣＣＨ又はＰＵＳＣＨにより測定フィードバック結果を送信してもよい。
【０１１４】
ステップＳ２４において、第一の空間次元に対応する参照信号測定フィードバックの上りリンクサブフレームの後の一番目の利用可能な上りリンクサブフレーム上で第二の空間次元に対応する参照信号測定フィードバックを送信してもよい。
【０１１５】
例として、下りリンク参照信号は、チャネル状態情報参照信号（ＣＳＩ−ＲＳ）であり、制御メッセージは無線リソース制御（ＲＲＣ）シグナリングである。複数の空間次元は水平方向と垂直方向とを含む。
【０１１６】
なお、ＲＲＣシグナリングには、伝送モード情報ユニット形を有する基地局が水平と垂直空間次元上でチャネル状態情報参照信号を送信する指示を含んでいる。また、ＲＲＣシグナリングにおけるｃｑｉ−ｐｍｉ−ＣｏｎｆｉｇＩｎｄｅｘパラメーターは、ユーザー機器水平と垂直空間次元のチャネル状態情報フィードバックに対する配置を指示し、垂直空間次元のチャネル状態情報フィードバックの配置に対応するｃｑｉ−ｐｍｉ−ＣｏｎｆｉｇＩｎｄｅｘパラメーターの値範囲は、水平空間次元と異なる。ＲＲＣシグナリングのＣＳＩ−ＲＳ−ＣｏｎｆｉｇにおけるＳｕｂｆｒａｍｅＣｏｎｆｉｇパラメーターは、異なる次元の参照信号送信時間に対する配置を指示し、異なる次元の参照信号のＳｕｂｆｒａｍｅＣｏｎｆｉｇパラメーターの値範囲は異なる。
【０１１７】
なお、上記それぞれの方法は、組合せ又は独立して使用されることが可能であり、その細部については、第一乃至第三の実施例に詳細に記述されたので、ここで重複しない。
【０１１８】
＜第五の実施例＞
当該実施例において、本開示の技術を応用するｅＮＢの例を提供する。
【０１１９】
（第一の応用例）
図１５は、本開示の内容の技術を応用できるｅＮＢの概略的な構成の第一の例を示すブロック図である。ｅＮＢ８００は、一つ又は複数のアンテナ８１０及び基地局デバイし８２０を含む。基地局デバイス８２０と各アンテナ８１０はＲＦケーブルを介して互いに接続され得る。
【０１２０】
アンテナ８１０の各々は、単一の又は複数のアンテナ素子（例えば、多入力多出力（ＭＩＭＯ）アンテナに含まれる複数のアンテナ素子）を含み、基地局デバイス８２０による無線信号の送受信のために用いられる。ｅＮＢ８００は、図１５に示すように複数のアンテナ８１０を含み、複数のアンテナ８１０は、例えばｅＮＢ８００が使用する複数の周波数帯域に共用してもよい。なお、図１５にはｅＮＢ８００が複数のアンテナ８１０を含む例を示したが、ｅＮＢ８００は単一のアンテナ８１０を含んでもよい。
【０１２１】
基地局デバイス８２０は、コントローラ８２１、メモリ８２２、ネットワークインタフェース８２３、及び無線通信インタフェース８２５を含む。
【０１２２】
コントローラ８２１は、例えばＣＰＵ又はＤＳＰであってよく、基地局デバイス８２０の上位レイヤの様々な機能を操作する。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、伝送電力データ及びスケジューリングデータなど）を記憶する。
【０１２３】
ネットワークインタフェース８２３は基地局デバイス８２０をコアネットワーク８２４に接続するための通信インタフェースである。コントローラ８２１はネットワークインタフェース８２３を介してコアネットワークノード又は他のｅＮＢと通信してもよい。この場合、ｅＮＢ８００とコアネットワークノード又は他のｅＮＢとはロジックインタフェース（例えばＳ１インタフェースとＸ２インタフェース）により互いに接続される。ネットワークインタフェース８２３は有線通信インタフェース、又は無線バックホールのための無線通信インタフェースであってもよい。ネットワークインタフェース８２３が無線通信インタフェースであると、ネットワークインタフェース８２３は無線通信インタフェース８２５により使用される周波数帯域よりも高い周波数帯域を無線通信に使用してもよい。
【０１２４】
無線通信インタフェース８２５は、いずれかのセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ８１０を介して、ｅＮＢ８００のセル内に位置する端末までの無線接続を提供する。無線通信インタフェース８２５は、一般、ベースバンド（ＢＢ）プロセッサ８２６及びＲＦ回路８２７を含み得る。ＢＢプロセッサ８２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行する。コントローラ８２１の代わりに、ＢＢプロセッサ８２６は上記ロジック機能の一部又は全部を有してもよい。ＢＢプロセッサ８２６は通信制御プログラムを記憶するメモリであってもよく、又はプログラムを実行するように配置されるプロセッサ及び関連する回路を含むモジュールであってもよい。ＢＢプロセッサ８２６の機能はプログラムの更新により変更可能であってもよい。当該モジュールは基地局デバイス８２０のスロットに挿入されるカード若しくはブレードであってもよい。代わりに、当該モジュールはカード若しくはブレードに搭載されるチップであってもよい。一方、ＲＦ回路８２７は例えばミキサ、フィルタ及びアンプを含んでもよく、アンテナ８１０を介して無線信号を送受信する。
【０１２５】
図１５に示すように、無線通信インタフェース８２５は複数のＢＢプロセッサ８２６を含んでもよい。例えば、複数のＢＢプロセッサ８２６はｅＮＢ８００が使用する複数の周波数帯域に共用される。図１５に示すように、無線通信インタフェース８２５は複数のＲＦ回路８２７を含んでもよい。例えば、複数のＲＦ回路８２７は複数のアンテナ素子に共用される。図１５は無線通信インタフェース８２５に複数のＢＢプロセッサ８２６と複数のＲＦ回路８２７とを含む例を示したが、無線通信インタフェース８２５は単一のＢＢプロセッサ８２６又は単一のＲＦ回路８２７を含んでもよい。
【０１２６】
（第二の応用例）
図１６は、本開示の内容の技術を応用できるｅＮＢの概略的な構成の第二の例を示すブロック図である。ｅＮＢ８３０は一つ又は複数のアンテナ８４０と、基地局デバイス８５０と、ＲＲＨ８６０とを含む。ＲＲＨ８６０は各アンテナ８４０とＲＦケーブルケーブルを介して互いに接続されてもよい。基地局デバイス８５０とＲＲＨ８６０は例えば光ファイバケーブルの高速回線で互いに接続されてもよい。
【０１２７】
アンテナ８４０の各々は、単一の又は複数のアンテナ素子（例えば、ＭＩＭＯアンテナに含まれる複数のアンテナ素子）を含み、ＲＲＨ８６０による無線信号の送受信のために用いられる。図１６に示すように、ｅＮＢ８３０は複数のアンテナ８４０を含んでもよい。例えば、複数のアンテナ８４０はｅＮＢ８３０が使用する複数の周波数帯域に共用されてもよい。図１６はｅＮＢ８３０が複数のアンテナ８４０を含む例を示したが、ｅＮＢ８３０は単一のアンテナ８４０を含んでもよい。
【０１２８】
基地局デバイス８５０は、コントローラ８５１、メモリ８５２、ネットワークインタフェース８５３、無線通信インタフェース８５５、及び接続インタフェース８５７を含む。コントローラ８５１、メモリ８５２、及びネットワークインタフェース８５３は図１５を参考して記述されたコントローラ８２１、メモリ８２２、及びネットワークインタフェース８２３と同じである。
【０１２９】
無線通信インタフェース８５５はいずれかのセルラー通信方式（例えばＬＴＥ、ＬＴＥ−Ａｄｖａｎｅｅｄ）をサポートし、ＲＲＨ８６０とアンテナ８４０とを介してＲＲＨ８６０に対応するセクタ内に位置する端末までの無線接続を提供する。無線通信インタフェース８５５は、一般、例えばＢＢプロセッサ８５６を含んでもよい。ＢＢプロセッサ８５６が接続インタフェース８５７を介してＲＲＨ８６０のＲＦ回路８６４と接続されることを除き、ＢＢプロセッサ８５６は図１５を参考して記述されたＢＢプロセッサ８２６と同じである。図１６に示すように、無線通信インタフェース８５５は複数のＢＢプロセッサ８５６を含んでもよい。例えば、複数のＢＢプロセッサ８５６はｅＮＢ８３０が使用する複数の周波数帯域に共用されてもよい。図１６は無線通信インタフェース８５５が複数のＢＢプロセッサ８５６を含む例を示したが、無線通信インタフェース８５５は単一のＢＢプロセッサ８５６を含んでもよい。
【０１３０】
接続インタフェース８５７は基地局デバイス８５０（無線通信インタフェース８５５）をＲＲＨ８６０に接続するためのインタフェースである。接続インタフェース８５７は基地局デバイス８５０（無線通信インタフェース８５５）をＲＲＨ８６０と接続する上記高速回線での通信のための通信モジュールであってもよい。
【０１３１】
ＲＲＨ８６０は接続インタフェース８６１と無線通信インタフェース８６３とを含む。
【０１３２】
接続インタフェース８６１はＲＲＨ８６０（無線通信インタフェース８６３）を基地局デバイス８５０に接続するためのインタフェースである。接続インタフェース８６１は上記高速回線での通信のための通信モジュールであってもよい。
【０１３３】
無線通信インタフェース８６３は、アンテナ８４０を介して無線信号を送受信する。無線通信インタフェース８６３は、一般、例えばＲＦ回路８６４を含んでもよい。ＲＦ回路８６４は、例えばミキサ、フィルタ及びアンプなどを含んでもよく、アンテナ８４０を介して無線信号を送受信する。図１６に示すように、無線通信インタフェース８６３は複数のＲＦ回路８６４を含んでもよい。例えば、複数のＲＦ回路８６４は複数のアンテナ素子をサポートしてもよい。図１６は無線通信インタフェース８６３が複数のＲＦ回路８６４を含む例を示したが、無線通信インタフェース８６３は単一のＲＦ回路８６４を含んでもよい。
【０１３４】
図１５と図１６に示すｅＮＢ８００とｅＮＢ８３０とにおいて、例えば図１と２で記述される送受信ユニット、送受信モジュールは無線通信インタフェース８２５及び無線通信インタフェース８５５及び／又は無線通信インタフェース８６３により実現されてもよい。機能の少なくとも一部はコントローラ８２１とコントローラ８５１により実現されてもよい。例えば、コントローラ８２１とコントローラ８５１は、参照信号配置モジュール２０１と制御メッセージ生成モジュール２０２との機能を実行することによりそれぞれ複数の空間次元の下りリンク参照信号に対する配置及び制御メッセージの生成を実行することができる。
【０１３５】
＜第六の実施例＞
当該実施例において、本開示の技術を応用するユーザー機器の例を提供する。
【０１３６】
（第一の応用例）
図１７は、本開示の内容の技術を応用できるスマートフォン９００の概略的な構成の一例を示すブロック図である。スマートフォン９００は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２、一つ又は複数のアンテナスイッチ９１５、一つ又は複数のアンテナ９１６、バス９１７、バッテリー９１８、及び補助コントローラ９１９を含む。
【０１３７】
プロセッサ９０１は、例えばＣＰＵ又はＳｏＣ（Ｓｙｓｔｅｍ  ｏｎ  Ｃｈｉｐ）であってもよく、スマートフォン９００のアプリケーションレイヤ及びその他のレイヤの機能を制御する。メモリ９０２はＲＡＭとＲＯＭを含み、データと、プロセッサ９０１により実行されるプログラムを記憶する。記憶装置９０３は記憶媒体、例えば半導体メモリ又はハードディスクを含んでもよい。外部接続インタフェース９０４は、外部装置（例えばメモリーカード又はＵＳＢ（Ｕｎｉｖｅｒｓａｌ  Ｓｅｒｉａｌ  Ｂｕｓ）デバイス）をスマートフォン９００に接続するためのインタフェースである。
【０１３８】
撮像装置９０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ９０７は例えば、測定センサ、ジャイロセンサ、地磁気センサ及び加速度センサなどのセンサ群を含み得る。マイクロフォン９０８はスマートフォン９００に入力される音声を音声信号に変換する。入力装置９０９は例えば表示装置９１０のスクリーン上のタッチを検出するように配置されるタッチセンサ、キーパッド、キーボード、ボタン又はスイッチを含み、ユーザーから入力される操作又は情報を受信する。表示装置９１０はスクリーン（例えば液晶ディスプレイ（ＬＣＤ）、有機発光ダイオード（ＯＬＥＤ）ディスプレイ）を含み、スマートフォン９００の出力画像を表示する。スピーカ９１１はスマートフォン９００から出力される音声信号を音声に変換する。
【０１３９】
無線通信インタフェース９１２はいずれかのセルラー通信方式（例えばＬＴＥ、ＬＴＥ−Ａｄｖａｎｃｅｄ）をサポートし、無線通信を実行する。無線通信インタフェース９１２は、一般に、例えばＢＢプロセッサ９１３とＲＦ回路９１４とを含んでもよい。ＢＢプロセッサ９１３は例えば符号化／復号化、変調／復調及び多重化／逆多重化を実行してもよく、無線通信のための様々な信号処理を実行する。一方、ＲＦ回路９１４は例えばミキサ、フィルタ及びアンプを含んでもよく、アンテナ９１６を介して無線信号を送受信する。無線通信インタフェース９１２はＢＢプロセッサ９１３とＲＦ回路９１４を集積したワンチップのモジュールであってもよい。図１７に示すように、無線通信インタフェース９１２は複数のＢＢプロセッサ９１３と複数のＲＦ回路９１４を含んでもよい。図１７は無線通信インタフェース９１２が複数のＢＢプロセッサ９１３と複数のＲＦ回路９１４を含む例を示したが、無線通信インタフェース９１２は単一のＢＢプロセッサ９１３又は単一のＲＦ回路９１４を含んでもよい。
【０１４０】
また、セルラー通信方式を除き、無線通信インタフェース９１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インタフェース９１２は無線通信方式ごとのＢＢプロセッサ９１３とＲＦ回路９１４を含んでもよい。
【０１４１】
アンテナスイッチ９１５の各々は、無線通信インタフェース９１２に含まれる複数の回路（例えば、異なる無線通信方式のための回路）の間でアンテナ９１６の接続先を切り替える。
【０１４２】
アンテナ９１６の各々は単一の又は複数のアンテナ素子（例えば、ＭＩＭＯアンテナに含まれる複数のアンテナ素子）を含み、無線通信インタフェース９１２によるによる無線信号の送受信のために用いられる。図１７に示すように、スマートフォン９００は複数のアンテナ９１６を含んでもよい。図１７はスマートフォン９００が複数のアンテナ９１６を含む例を示したが、スマートフォン９００は単一のアンテナ９１６を含んでもよい。
【０１４３】
また、スマートフォン９００は無線通信方式ごとにアンテナ９１６を含んでもよい。この場合、アンテナスイッチ９１５はスマートフォン９００の構成から省略されてもよい。
【０１４４】
バス９１７は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２及び補助コントローラ９１９を互いに接続する。バッテリー９１８は図中に破線で部分的に示した支線を介して図１７に示すスマートフォン９００の各ブロックに電力を供給する。補助コントローラ９１９は例えば、スリープモードにおいて、スマートフォン９００の必要最低限の機能を動作させる。
【０１４５】
図１７に示すスマートフォン９００において、例えば図１１と１２に記述の送受信ユニット、送受信モジュールは無線通信インタフェース９１２により実現されてもよい。機能の少なくとも一部がプロセッサ９０１又は補助コントローラ９１９により実現されてもよい。例えば、プロセッサ９０１又は補助コントローラ９１９は、確定モジュール４０１とフィードバック生成モジュール４０２との機能を実行することにより、マルチ空間次元のそれぞれの下りリンク参照信号に対する測定フィードバックをそれぞれ実現する。
【０１４６】
（第二の応用例）
図１８は、本開示の内容の技術を応用できるカーナビゲーション装置９２０の概略的な構成の一例を示すブロック図である。カーナビゲーション装置９２０は、プロセッサ９２１、メモリ９２２、ＧＰＳ（Ｇｌｏｂａｌ  Ｐｏｓｉｔｉｏｎｉｎｇ  Ｓｙｓｔｅｍ）モジュール９２４、センサ９２５、データインタフェース９２６、コンテンツプレーヤ９２７、記憶媒体インタフェース９２８、入力装置９２９、表示装置９３０、スピーカ９３１、無線通信インタフェース９３３、一つ又は複数のアンテナスイッチ９３６、一つ又は複数のアンテナ９３７及びバッテリー９３８を含む。
【０１４７】
プロセッサ９２１は例えばＣＰＵ又はＳｏＣであってもよく、カーナビゲーション装置９２０のナビゲーション機能及びその他の機能を制御する。メモリ９２２はＲＡＭとＲＯＭを含み、データと、プロセッサ９２１により実行されるプログラムを記憶する。
【０１４８】
ＧＰＳモジュール９２４はＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサのセンサ群を含み得る。データインタフェース９２６は、図示しない端末を介して例えば、車載ネットワーク９４１に接続され、車両側で生成されるデータ（例えば車速データ）を取得する。
【０１４９】
コンテンツプレーヤ９２７は記憶媒体インタフェース９２８に挿入される記憶媒体（例えば、ＣＤ又はＤＶＤ）に記憶されているコンテンツを再生する。入力装置９２９は例えば表示装置９３０のスクリーン上のタッチを検出するように配置されるタッチセンサ、ボタン又はスイッチを含み、ユーザーから入力される操作又は情報を受信する。表示装置９３０は例えばＬＣＤ又はＯＬＥＤディスプレイのスクリーンを含み、ナビゲーション機能の画像又は再生されるコンテンツを表示する。スピーカ９３１は、ナビゲーション機能の音声又は再生されるコンテンツを出力する。
【０１５０】
無線通信インタフェース９３３はいずれかのセルラー通信方式（例えばＬＴＥ、ＬＴＥ−Ａｄｖａｎｃｅｄ）をサポートし、無線通信を実行する。無線通信インタフェース９３３は、一般に、例えばＢＢプロセッサ９３４とＲＦ回路９３５とを含んでもよい。ＢＢプロセッサ９３４は例えば符号化／復号化、変調／復調及び多重化／逆多重化を実行してもよく、無線通信のための様々な信号処理を実行する。一方、ＲＦ回路９３５は例えばミキサ、フィルタ及びアンプを含んでもよく、アンテナ９３７を介して無線信号を送受信する。無線通信インタフェース９３３はＢＢプロセッサ９３４とＲＦ回路９３５を集積したワンチップのモジュールであってもよい。図１８に示すように、無線通信インタフェース９３３は複数のＢＢプロセッサ９３４と複数のＲＦ回路９３５を含んでもよい。図１８は無線通信インタフェース９３３が複数のＢＢプロセッサ９３４と複数のＲＦ回路９３５を含む例を示したが、無線通信インタフェース９３３は単一のＢＢプロセッサ９３４又は単一のＲＦ回路９３５を含んでもよい。
【０１５１】
また、セルラー通信方式を除き、無線通信インタフェース９３３は他の種類の無線通信方式、例えば、近距離無線通信方式、近接無線通信方式又は無線ＬＡＮ方式をサポートしてもよい。この場合、無線通信方式ごと，無線通信インタフェース９３３はＢＢプロセッサ９３４とＲＦ回路９３５を含んでもよい。
【０１５２】
アンテナスイッチ９３６の各々は、無線通信インタフェース９３３に含まれる複数の回路（例えば、異なる無線通信方式のための回路）の間でアンテナ９３７の接続先を切り替える。
【０１５３】
アンテナ９３７中の各々は、単一の又は複数のアンテナ素子（例えば、ＭＩＭＯアンテナに含まれる複数のアンテナ素子）を含み、無線通信インタフェース９３３による無線信号の送受信のために用いられる。図１８に示すように、カーナビゲーション装置９２０は複数のアンテナ９３７を含んでもよい。図１８はカーナビゲーション装置９２０が複数のアンテナ９３７を含む例を示したが、カーナビゲーション装置９２０は単一のアンテナ９３７を含んでもよい。
【０１５４】
また、カーナビゲーション装置９２０は無線通信方式ごとにアンテナ９３７を含んでもよい。この場合、アンテナスイッチ９３６はカーナビゲーション装置９２０の構成から省略されてもよい。
【０１５５】
バッテリー９３８は、図中に破線で部分的に示した支線を介して、図１８に示したカーナビゲーション装置９２０の各ブロックに電力を供給する。また、バッテリー９３８は、車両側から給電される電力を蓄積する。
【０１５６】
図１８に示すカーナビゲーション装置９２０において、例えば図１１と１２に記述された送受信ユニットと送受信モジュールは無線通信インタフェース９３３により実現されてもよい。その機能の少なくとも一部はプロセッサ９２１により実現されてもよい。例えば、例えば、プロセッサ９２１は、確定モジュール４０１とフィードバック生成モジュール４０２との機能を実行することにより、マルチ空間次元のそれぞれの下りリンク参照信号に対する測定フィードバックをそれぞれ実現する。
【０１５７】
本開示の内容の技術は、カーナビゲーション装置９２０と、車載ネットワーク９４１と、車両モジュール９４２との１つ又は複数のブロックを含む車載システム（又は車両）９４０として実現されてもよい。車両モジュール９４２は車両データ（例えば車速、エンジン回転数、故障情報）を生成し、生成したデータを車載ネットワーク９４１に出力する。
【０１５８】
以上で具体的実施例に基づいて本発明の基本的原理を記述したが、指摘すべきことは、当業者にとって、本発明の方法と装置の全部又は任意のステップ或いは部品について、任意の算出装置（プロセッサ、記憶媒体などを含む）又は算出装置のネットワークにおいて、ハードウェア、ファームウェア、ソフトウェア又はその組み合わせで実現することが理解され、これは、当業者が本発明の記述を読んだ場合にその基本的回路設計知識又は基本的プログラミング技能を利用して実現されるものである。
【０１５９】
本発明は、機器読み取り可能なコマンドコードが記憶されたプログラム製品をさらに提出する。上記コマンドコードが機器に読み取られて実行される場合に、上記の本発明の実施例による方法を実行できる。
【０１６０】
これに対応して、上記の機器読み取り可能なコマンドコードが記憶されたプログラム製品がロードされた記憶媒体も本発明の開示に含まれる。上記記憶媒体は、フロッピーディスク、光ディスク、光磁気ディスク、メモリカード、メモリスティックを含むが、これらに限定されない。
【０１６１】
ソフトウェア或いはファームウエアで実現する場合、記憶媒体或いはネットワークから専用ハードウェア構造を有するコンピュータ（例えば図１９に示す汎用パーソナルコンピューター１９００）に当該ソフトウェアを構成するプログラムをインストールし、当該コンピュータは各種のプログラムがインストールされている場合、各種の機能等を実行できる。
【０１６２】
図１９において、演算処理ユニット（ＣＰＵ）１９０１は、読取専用メモリ（ＲＯＭ）１９０２に記憶されているプログラム或いは記憶部１９０８からランダムアクセスメモリ（ＲＡＭ）１９０３にロードしたプログラムに基づいて各種の処理を実行する。ＲＡＭ１９０３にも、必要に応じてＣＰＵ１９０１が各種の処理等を実行する際に必要なデータが記憶される。ＣＰＵ１９０１、ＲＯＭ１９０２、ＲＡＭ１９０３はバス１９０４を介して互いに接続されている。入力／出力インタフェース１９０５もバス１９０４に接続されている。
【０１６３】
入力部１９０６（キーボード、マウス等を含む）、出力部１９０７（ディスプレイ、例えば陰極線管（ＣＲＴ）、液晶ディスプレイ（ＬＣＤ）等、スピーカ等を含む）、記憶部１９０８（ハードディスク等を含む）、通信部１９０９（ネットワークインタフェースカード例えばＬＡＮカード、モデム等を含む）は入力／出力インタフェース１９０５に接続される。通信部１９０９は、ネットワーク、例えばインターネットを介して通信処理を実行する。必要に応じて、ドライバー１９１０も入力／出力インタフェース１９０５に接続される。リムーバブルメディア１９１１、例えばディスク、光ディスク、光磁気ディスク、半導体メモリ等は、必要に応じてドライバー１９１０に装着され、その中から読み出したコンピュータプログラムが必要に応じて記憶部１９０８にインストールされるようにする。
【０１６４】
ソフトウェアで上記一連の処理を実現する場合、ネットワーク、例えばインターネット或いは記憶装置、例えばリムーバブルメディア１９１１からソフトウェアを構成するプログラムをインストールする。
【０１６５】
当業者であれば、この種の記憶媒体は、図１９に示す、その中にプログラムが記憶され装置に別途配分してユーザーにプログラムを提供するリムーバブルメディア１９１１に限定されないことが理解される。リムーバブルメディア１９１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１９０２、記憶部１９０８に含まれるハードディスク等であってもよく、その中にプログラムが記憶され、且つこれらを含む装置とともにユーザーに配分される。
【０１６６】
指摘すべきことは、本発明の装置、方法及びシステムにおいて、各部品又は各ステップは分割及び／又は再組み合わせをすることが可能である。これらの分割及び／又は再組み合わせは本発明の等価方案と見なすべきである。そして、上記一連の処理を実行するステップは、説明の順で時間順に従って実行されることがあるが、必ず時間順に従う必要がない。あるステップは並行又は独立に実行されることが可能である。
【０１６７】
最後、なお、用語の「含む」、「包含」又はその任意の変化は、非排他的包含を含むことを意味することにより、一連の要素を含むプロセス、方法、物品又はデバイスはその要素を含むだけでなく、明確に挙げない他の要素を含むか、又はこのようなプロセス、方法、物品又はデバイスが固有する要素をさらに含む。また。より多く制限されない場合に、語句「一つ…を含む」が限定する要素は、上記要素を含むプロセス、方法、物品又はデバイスにおいて他の同一の要素を含むことを排除しない。
【０１６８】
以上で図面を参考して本発明の実施例を詳細に記述した、以上で記述された実施形態は、本発明を説明するためのものであり、限定ではない。当業者にとって、上記実施形態について、各種の修正、変更を行い得るが、本発明の本質と範囲から逸脱しない。従って、本発明の範囲は特許請求の範囲及び均等意味のみに限定される。
【図１】
2018514965.tif 000011
【図２】
2018514965.tif 000012
【図３】
2018514965.tif 000013
【図４】
2018514965.tif 000014
【図５】
2018514965.tif 000015
【図６】
2018514965.tif 000016
【図７】
2018514965.tif 000017
【図８】
2018514965.tif 000018
【図９】
2018514965.tif 000019
【図１０】
2018514965.tif 000020
【図１１】
2018514965.tif 000021
【図１２】
2018514965.tif 000022
【図１３】
2018514965.tif 000023
【図１４】
2018514965.tif 000024
【図１５】
2018514965.tif 000025
【図１６】
2018514965.tif 000026
【図１７】
2018514965.tif 000027
【図１８】
2018514965.tif 000028
【図１９】
2018514965.tif 000029
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
無線通信のための装置であって、
基地局のアンテナ配置に基づいて、前記基地局の下りリンク参照信号を複数の空間次元上でそれぞれ配置し、
前記基地局が複数の空間次元上で前記下りリンク参照信号をそれぞれ送信する指示を含む制御メッセージを生成して、前記基地局がサービスする通信デバイスに用いられるように配置されている一つ又は複数のプロセッサを含む装置。
【請求項２】
前記一つ又は複数のプロセッサは、異なる空間次元の下りリンク参照信号を、異なるアンテナポートにより送信するように配置するように配置されている請求項１に記載の装置。
【請求項３】
前記一つ又は複数のプロセッサは、さらに、前記通信デバイスが相応する空間次元の下りリンク参照信号を区分するように異なる空間次元の下りリンク参照信号を同じ仕様で異なる伝送リソースにマッピングするように配置され、前記伝送リソースはサブフレーム又は時間スロットの少なくとも一つに対応する請求項２に記載の装置。
【請求項４】
前記一つ又は複数のプロセッサは、さらに、前記基地局の特定の空間次元上の前記下りリンク参照信号に対する送信パラメーター及び/又は通信デバイスの特定の空間次元上の前記下りリンク参照信号に対する測定フィードバックパラメーターを、前記制御メッセージに含ませるように配置されている請求項１に記載の装置。
【請求項５】
前記送信パラメーターは、特定の空間次元に対応する参照信号ポート配置パラメーターと、周期配置パラメーターと、サブフレームオフセット情報との少なくとも一つを含み、前記測定フィードバックパラメーターは、通信デバイスに配置された特定の空間次元に相応する参照信号の測定を行うフィードバック周期配置パラメーター、及びサブフレームオフセット情報の少なくとも一つを含む請求項４に記載の装置。
【請求項６】
それぞれの空間次元に対応する参照信号の送信周期は、異なるように設定されている、
または、それぞれの空間次元に対応する参照信号の測定フィードバック周期は、異なるように設定されている請求項５に記載の装置。
【請求項７】
前記装置は前記基地局であり、
前記複数の空間次元のそれぞれに対して前記通信デバイスへ当該空間次元上の下りリンク参照信号をそれぞれ送信し、前記通信デバイスからそれぞれの空間次元に対する参照信号測定フィードバックを受信するように配置されている送受信ユニットをさらに含む請求項１〜６のいずれか一項に記載の装置。
【請求項８】
前記送受信ユニットは、異なるサブフレーム上でそれぞれの空間次元に対応する参照信号を送信し、異なるサブフレーム上でそれぞれの空間次元に対応する測定フィードバックを受信するように配置されている請求項７に記載の装置。
【請求項９】
前記送受信ユニットは、物理上りリンクデータチャネルのみで前記複数の空間次元のうちの一部の空間次元に対応する参照信号の測定フィードバックを受信する請求項７に記載の装置。
【請求項１０】
前記一つ又は複数のプロセッサは、さらに、特定の空間次元に対応する参照信号に対する非周期フィードバックリクエストを、下りリンク制御情報又はランダムアクセス応答に含ませて前記通信デバイスに用いるように配置されている請求項９に記載の装置。
【請求項１１】
前記送受信ユニットは、第一の空間次元に対応する参照信号測定フィードバックの上りリンクサブフレームの後の一番目の利用可能な上りリンクサブフレーム上で第二の空間次元に対応する参照信号測定フィードバックを受信するように配置されている請求項１０に記載の装置。
【請求項１２】
前記下りリンク参照信号はチャネル状態情報参照信号であり、前記制御メッセージは無線リソース制御シグナリングである請求項１〜６のいずれか一項に記載の装置。
【請求項１３】
前記複数の空間次元は水平方向と垂直方向とを含む請求項１２に記載の装置。
【請求項１４】
前記一つ又は複数のプロセッサは、水平チャネル状態情報参照信号に第一のアンテナポートグループを配置し、垂直チャネル状態情報参照信号に第二のアンテナポートグループを配置するように配置され、第一、第二のアンテナポートグループのそれぞれは八個の異なるアンテナポートを含む請求項１３に記載の装置。
【請求項１５】
前記一つ又は複数のプロセッサは、前記基地局が水平と垂直空間次元上で前記チャネル状態情報参照信号を送信する指示を、伝送モード情報ユニットの形で前記無線リソース制御シグナリングに含ませる請求項１３に記載の装置。
【請求項１６】
前記一つ又は複数のプロセッサは、前記無線リソース制御シグナリングのｃｑｉ−ｐｍｉ−ＣｏｎｆｉｇＩｎｄｅｘパラメーターを利用して、通信デバイスに水平と垂直空間次元のチャネル状態情報フィードバックに対する配置を指示し、垂直空間次元のチャネル状態情報フィードバックの配置に対応するｃｑｉ−ｐｍｉ−ＣｏｎｆｉｇＩｎｄｅｘパラメーターの値は水平空間次元と異なる請求項１３に記載の装置。
【請求項１７】
前記一つ又は複数のプロセッサは、前記無線リソース制御シグナリングのＣＳＩ−ＲＳ−ＣｏｎｆｉｇにおけるＳｕｂｆｒａｍｅＣｏｎｆｉｇパラメーターを利用して、異なる次元の参照信号送信時間に対して配置を行うことを指示し、異なる次元の参照信号のＳｕｂｆｒａｍｅＣｏｎｆｉｇパラメーターの値の範囲が異なる請求項１２に記載の装置。
【請求項１８】
無線通信のための装置であって、
基地局からの制御メッセージに基づいて、前記基地局が複数の空間次元上で下りリンク参照信号をそれぞれ送信することを確定し、
前記基地局の測定指示に応答し、相応する空間次元上の下りリンク参照信号を測定し相応する空間次元上の測定フィードバック情報を生成するように配置されている一つ又は複数のプロセッサを含む装置。
【請求項１９】
前記制御メッセージは、前記基地局の特定の空間次元上の下りリンク参照信号に対する送信パラメーター及び／又は前記装置の特定の空間次元上の前記下りリンク参照信号に対する測定フィードバックパラメーターを含む請求項１８に記載の装置。
【請求項２０】
前記送信パラメーターは、特定の空間次元に対応する参照信号ポート配置パラメーターと、周期配置パラメーターと、サブフレームオフセット情報との少なくとも一つを含み、前記測定フィードバックパラメーターは、前記装置に配置されて特定の空間次元に相応する参照信号の測定を行うフィードバック周期配置パラメーター、及びサブフレームオフセット情報の少なくとも一つを含む請求項１９に記載の装置。
【国際調査報告】
2018514965.tif 000030
2018514965.tif 000031
2018514965.tif 000032
2018514965.tif 000033